(57)【特許請求の範囲】
【請求項１】
ワイヤレス通信の方法であって、
基地局において、単一のグラントを第１のデバイスに送信すること、ここにおいて、前記単一のグラントは、前記第１のデバイスと第２のデバイスとの間でのデバイス間（Ｄ２Ｄ）通信のために前記第１のデバイスによってスケジューリング割当て（ＳＡ）がそれにおいて送信されるべき１またはそれ以上のＳＡリソースを識別し、前記単一のグラントは、前記第１のデバイスと前記第２のデバイスとの間での前記Ｄ２Ｄ通信のために前記第１のデバイスによってデータがそれにおいて送信されるべき１またはそれ以上のデータリソースを識別し、前記ＳＡは、前記Ｄ２Ｄ通信のための前記単一のグラントによって識別された前記１またはそれ以上のデータリソース上での前記データ送信をスケジュールする、
を備える、方法。
【請求項２】
スクランブリングタイプに従って前記単一のグラントをスクランブルすること、ここにおいて、前記スクランブリングタイプは、前記１またはそれ以上のＳＡリソースと前記１またはそれ以上のデータリソースが前記Ｄ２Ｄ通信に割り当てられることを示す、
をさらに備える、請求項１に記載の方法。
【請求項３】
前記スクランブリングタイプは、Ｄ２Ｄ無線ネットワーク一時識別子（ＲＮＴＩ）を備える、請求項２に記載の方法。
【請求項４】
前記スクランブリングタイプは、半持続的なスケジューリング（ＳＰＳ）Ｄ２Ｄ無線ネットワーク一時識別子（ＲＮＴＩ）を備える、請求項２に記載の方法。
【請求項５】
前記スクランブルすることは、前記単一のグラントの巡回冗長検査（ＣＲＣ）をスクランブルすることを備える、請求項２に記載の方法。
【請求項６】
前記単一のグラントは、前記第１のデバイスが前記ＳＡを送信するために使用すべき前記１またはそれ以上のＳＡリソースを識別し、前記１またはそれ以上のデータリソースは、前記１またはそれ以上のＳＡリソースに少なくとも部分的に基づいて前記第１のデバイスによって識別される、請求項１に記載の方法。
【請求項７】
前記単一のグラントは、ＳＡ送信電力、ＳＡ変調コーディング方式（ＭＣＳ）、ＳＡ冗長バージョン、またはそれらの組合せを備える、請求項１に記載の方法。
【請求項８】
前記単一のグラントは、データ送信電力、データ変調コーディング方式（ＭＣＳ）、データ冗長バージョン、またはそれらの組合せを備える、請求項１に記載の方法。
【請求項９】
前記単一のグラントは、前記ＳＡの宛先デバイスについてのターゲット識別（ＩＤ）を備え、前記ターゲットＩＤは、グループキャストＩＤ、ブロードキャストＩＤ、またはユニキャストＩＤであり、前記ターゲットＩＤは、圧縮された、またはインデックスベースのものである、請求項１に記載の方法。
【請求項１０】
前記単一のグラントは、前記１またはそれ以上のデータリソースの時間ホッピングパターン、前記１またはそれ以上のデータリソースの周波数ホッピングパターン、またはそれらの組合せを備える、請求項１に記載の方法。
【請求項１１】
前記単一のグラントは、１またはそれ以上の送信電力制御（ＴＰＣ）ビットを含み、前記ＴＰＣビットは、ＳＡ送信電力またはデータ送信電力を示す、請求項１に記載の方法。
【請求項１２】
前記単一のグラントは、ロングタームエボリューション（ＬＴＥ）において、物理ダウンリンク制御チャネル（ＰＤＣＣＨ）もしくは物理ダウンリンク共有チャネル（ＰＤＳＣＨ）、またはそれらの組合せを介して送信される、請求項１に記載の方法。
【請求項１３】
前記単一のグラントは、ダウンリンク制御情報（ＤＣＩ）に含まれる、請求項１２に記載の方法。
【請求項１４】
前記ＰＤＳＣＨは、Ｄ２Ｄ通信のための前記１またはそれ以上のＳＡリソースと前記１またはそれ以上のデータリソースとの両方に関する情報を含む、請求項１２に記載の方法。
【請求項１５】
前記単一のグラントが前記Ｄ２Ｄ通信に関係することを示すためにＤ２Ｄ無線ネットワーク一時識別子（ＲＮＴＩ）により前記ＰＤＣＣＨを介して送信された前記単一のグラントをスクランブルすること、
をさらに備える、請求項１２に記載の方法。
【請求項１６】
ターゲット識別子（ＩＤ）により前記ＰＤＣＣＨを介して送信された前記単一のグラントをスクランブルすること、
をさらに備える、請求項１２に記載の方法。
【請求項１７】
ワイヤレス通信のための装置であって、
単一のグラントを第１のデバイスに送信するための手段、ここにおいて、第１のグラントを備える前記単一のグラントは、前記第１のデバイスと第２のデバイスとの間でのデバイス間（Ｄ２Ｄ）通信のために前記第１のデバイスによってスケジューリング割当て（ＳＡ）がそれにおいて送信されるべき１またはそれ以上のＳＡリソースを識別し、前記単一のグラントは、前記第１のデバイスと前記第２のデバイスとの間での前記Ｄ２Ｄ通信のために前記第１のデバイスによってデータがそれにおいて送信されるべき１またはそれ以上のデータリソースを識別し、前記ＳＡは、前記Ｄ２Ｄ通信のための前記単一のグラントによって識別された前記１またはそれ以上のデータリソース上での前記データ送信をスケジュールする、
を備える、装置。
【請求項１８】
スクランブリングタイプに従って前記単一のグラントをスクランブルするための手段、ここにおいて、前記スクランブリングタイプは、前記１またはそれ以上のＳＡリソースと前記１またはそれ以上のデータリソースが前記Ｄ２Ｄ通信に割り当てられることを示す、
をさらに備える、請求項１７に記載の装置。
【請求項１９】
前記スクランブリングタイプは、Ｄ２Ｄ無線ネットワーク一時識別子（ＲＮＴＩ）を備える、請求項１８に記載の装置。
【請求項２０】
前記スクランブリングタイプは、半持続的なスケジューリング（ＳＰＳ）Ｄ２Ｄ無線ネットワーク一時識別子（ＲＮＴＩ）を備える、請求項１８に記載の装置。
【請求項２１】
前記スクランブルするための手段は、前記単一のグラントの巡回冗長検査（ＣＲＣ）をスクランブルするように構成される、請求項１８に記載の装置。
【請求項２２】
前記単一のグラントは、前記第１のデバイスが前記ＳＡを送信するために使用すべき前記１またはそれ以上のＳＡリソースを識別し、前記１またはそれ以上のデータリソースは、前記１またはそれ以上のＳＡリソースに少なくとも部分的に基づいて前記第１のデバイスによって識別される、請求項１７に記載の装置。
【請求項２３】
ワイヤレス通信システムで使用するためのデバイスであって、
プロセッサと、
前記プロセッサと電子通信するメモリと、
前記メモリに記憶されている命令と、を備え、前記命令は、
単一のグラントを第１のデバイスに送信すること、ここにおいて、第１のグラントを備える前記単一のグラントは、前記第１のデバイスと第２のデバイスとの間でのデバイス間（Ｄ２Ｄ）通信のために前記第１のデバイスによってスケジューリング割当て（ＳＡ）がそれにおいて送信されるべき１またはそれ以上のＳＡリソースを識別し、前記単一のグラントは、前記第１のデバイスと前記第２のデバイスとの間での前記Ｄ２Ｄ通信のために前記第１のデバイスによってデータがそれにおいて送信されるべき１またはそれ以上のデータリソースを識別し、前記ＳＡは、前記Ｄ２Ｄ通信のための前記単一のグラントによって識別された前記１またはそれ以上のデータリソース上での前記データ送信をスケジュールする、
を行うように前記プロセッサによって実行可能である、
デバイス。
【請求項２４】
前記命令は、
スクランブリングタイプに従って前記単一のグラントをスクランブルすること、ここにおいて、前記スクランブリングタイプは、前記１またはそれ以上のＳＡリソースと前記１またはそれ以上のデータリソースが前記Ｄ２Ｄ通信に割り当てられることを示す、
を行うように前記プロセッサによって実行可能である、請求項２３に記載のデバイス。
【請求項２５】
前記スクランブリングタイプは、Ｄ２Ｄ無線ネットワーク一時識別子（ＲＮＴＩ）を備える、請求項２４に記載のデバイス。
【請求項２６】
前記スクランブリングタイプは、半持続的なスケジューリング（ＳＰＳ）Ｄ２Ｄ無線ネットワーク一時識別子（ＲＮＴＩ）を備える、請求項２４に記載のデバイス。
【請求項２７】
前記命令は、
前記単一のグラントの巡回冗長検査（ＣＲＣ）をスクランブルすること、
を行うように前記プロセッサによって実行可能である、請求項２４に記載のデバイス。
【請求項２８】
前記単一のグラントは、前記第１のデバイスが前記ＳＡを送信するために使用すべき前記１またはそれ以上のＳＡリソースを識別し、前記１またはそれ以上のデータリソースは、前記１またはそれ以上のＳＡリソースに少なくとも部分的に基づいて前記第１のデバイスによって識別される、請求項２３に記載のデバイス。
【請求項２９】
ワイヤレスデバイスにおける通信のためのコードを記憶した、コンピュータ可読記憶媒体であって、前記コードは、
単一のグラントを第１のデバイスに送信すること、ここにおいて、前記単一のグラントは、前記第１のデバイスと第２のデバイスとの間でのデバイス間（Ｄ２Ｄ）通信のために前記第１のデバイスによってスケジューリング割当て（ＳＡ）がそれにおいて送信されるべき１またはそれ以上のＳＡリソースを識別し、前記単一のグラントは、前記第１のデバイスと前記第２のデバイスとの間での前記Ｄ２Ｄ通信のために前記第１のデバイスによってデータがそれにおいて送信されるべき１またはそれ以上のデータリソースを識別し、前記ＳＡは、前記Ｄ２Ｄ通信のための前記単一のグラントによって識別された前記１またはそれ以上のデータリソース上での前記データ送信をスケジュールする、
を行うように実行可能な命令を備える、コンピュータ可読記憶媒体。
【請求項３０】
前記命令は、
スクランブリングタイプに従って前記単一のグラントをスクランブルすること、ここにおいて、前記スクランブリングタイプは、前記１またはそれ以上のＳＡリソースと前記１またはそれ以上のデータリソースが前記Ｄ２Ｄ通信に割り当てられることを示す、
を行うように実行可能である、請求項２９に記載のコンピュータ可読記憶媒体。
【請求項３１】
前記スクランブリングタイプは、Ｄ２Ｄ無線ネットワーク一時識別子（ＲＮＴＩ）を備える、請求項３０に記載のコンピュータ可読記憶媒体。
【請求項３２】
前記スクランブリングタイプは、半持続的なスケジューリング（ＳＰＳ）Ｄ２Ｄ無線ネットワーク一時識別子（ＲＮＴＩ）を備える、請求項３０に記載のコンピュータ可読記憶媒体。
【請求項３３】
前記命令は、
前記単一のグラントの巡回冗長検査（ＣＲＣ）をスクランブルすること
を行うように実行可能である、請求項３０に記載のコンピュータ可読記憶媒体。
【請求項３４】
前記単一のグラントは、前記第１のデバイスが前記ＳＡを送信するために使用すべき前記１またはそれ以上のＳＡリソースを識別し、前記１またはそれ以上のデータリソースは、前記１またはそれ以上のＳＡリソースに少なくとも部分的に基づいて前記第１のデバイスによって識別される、請求項２９に記載のコンピュータ可読記憶媒体。
【請求項３５】
ワイヤレス通信の方法であって、
第１のデバイスにおいて、基地局から単一のグラントを受信することと、ここにおいて、前記単一のグラントは、前記第１のデバイスと第２のデバイスとの間でのデバイス間（Ｄ２Ｄ）通信のために前記第１のデバイスから前記第２のデバイスにスケジューリング割当て（ＳＡ）がそれにおいて送信されるべき１またはそれ以上のＳＡリソースを識別し、前記単一のグラントは、前記第１のデバイスと前記第２のデバイスとの間での前記Ｄ２Ｄ通信のためにデータがそれにおいて送信されるべき１またはそれ以上のデータリソースを識別する、
前記第１のデバイスによって前記第２のデバイスに、前記単一のグラントによって識別された前記１またはそれ以上のＳＡリソース上で前記ＳＡを送信することと、ここにおいて、前記ＳＡは、前記Ｄ２Ｄ通信のための前記単一のグラントによって識別された前記１またはそれ以上のデータリソース上での前記データ送信をスケジュールする、
を備える、方法。
【請求項３６】
前記単一のグラントは、スクランブルされており、前記方法は、
デスクランブリング技法に従って前記単一のグラントをデスクランブルすること、
をさらに備える、請求項３５に記載の方法。
【請求項３７】
前記デスクランブリング技法に少なくとも部分的に基づいて前記１またはそれ以上のＳＡリソースおよび前記１またはそれ以上のデータリソースが前記Ｄ２Ｄ通信に割り当てられることを決定すること、
をさらに備える、請求項３６に記載の方法。
【請求項３８】
前記デスクランブリング技法に少なくとも部分的に基づいて前記１またはそれ以上のＳＡリソースおよび前記１またはそれ以上のデータリソースが前記Ｄ２Ｄ通信に半持続的に割り当てられることを決定すること、
をさらに備える、請求項３６に記載の方法。
【請求項３９】
前記デスクランブルすることは、前記単一のグラントの巡回冗長検査（ＣＲＣ）をデスクランブルすることを備える、請求項３６に記載の方法。
【請求項４０】
前記単一のグラントから、前記ＳＡを送信するために使用するべき前記１またはそれ以上のＳＡリソースを識別することと、
前記データを送信するために使用すべき前記１またはそれ以上のデータリソースを識別することと、ここにおいて、前記１またはそれ以上のデータリソースの前記識別は、前記１またはそれ以上のＳＡリソースに少なくとも部分的に基づく、
をさらに備える、請求項３５に記載の方法。
【請求項４１】
前記単一のグラントは、ロングタームエボリューション（ＬＴＥ）において、物理ダウンリンク制御チャネル（ＰＤＣＣＨ）もしくは物理ダウンリンク共有チャネル（ＰＤＳＣＨ）、またはそれらの組合せを介して受信される、請求項３５に記載の方法。
【請求項４２】
前記ＰＤＳＣＨは、前記Ｄ２Ｄ通信のための前記１またはそれ以上のＳＡリソースと前記１またはそれ以上のデータリソースとの両方に関する情報を含む、請求項４１に記載の方法。
【請求項４３】
前記単一のグラントが前記Ｄ２Ｄ通信に関係することを示すためにＤ２Ｄ無線ネットワーク一時識別子（ＲＮＴＩ）により前記ＰＤＣＣＨを介して送信された前記単一のグラントをデスクランブルすること、
をさらに備える、請求項４１に記載の方法。
【請求項４４】
ターゲット識別子（ＩＤ）により前記ＰＤＣＣＨを介して送信された前記単一のグラントをデスクランブルすること、
をさらに備える、請求項４１に記載の方法。
【請求項４５】
前記単一のグラントは、ダウンリンク制御情報（ＤＣＩ）に含まれる、請求項４１に記載の方法。
【請求項４６】
ワイヤレス通信のための装置であって、
第１のデバイスにおいて、基地局から単一のグラントを受信するための手段と、ここにおいて、第１のグラントを備える前記単一のグラントは、前記第１のデバイスと第２のデバイスとの間でのデバイス間（Ｄ２Ｄ）通信のために前記第１のデバイスから前記第２のデバイスにスケジューリング割当て（ＳＡ）がそれにおいて送信されるべき１またはそれ以上のＳＡリソースを識別し、前記単一のグラントは、前記第１のデバイスと前記第２のデバイスとの間での前記Ｄ２Ｄ通信のためにデータがそれにおいて送信されるべき１またはそれ以上のデータリソースを識別する、
前記第１のデバイスによって前記第２のデバイスに、前記単一のグラントによって識別された前記１またはそれ以上のＳＡリソース上で前記ＳＡを送信するための手段と、ここにおいて、前記ＳＡは、前記Ｄ２Ｄ通信のための前記単一のグラントによって識別された前記１またはそれ以上のデータリソース上での前記データ送信をスケジュールする、
を備える、装置。
【請求項４７】
ワイヤレス通信のための第１のデバイスであって、
プロセッサと、
前記プロセッサと電子通信するメモリと、
前記メモリに記憶されている命令と、を備え、前記命令は、
前記第１のデバイスにおいて、基地局から単一のグラントを受信することと、ここにおいて、前記単一のグラントは、前記第１のデバイスと第２のデバイスとの間でのデバイス間（Ｄ２Ｄ）通信のために前記第１のデバイスから前記第２のデバイスにスケジューリング割当て（ＳＡ）がそれにおいて送信されるべき１またはそれ以上のＳＡリソースを識別し、前記単一のグラントは、前記第１のデバイスと前記第２のデバイスとの間での前記Ｄ２Ｄ通信のためにデータがそれにおいて送信されるべき１またはそれ以上のデータリソースを識別する、
前記第１のデバイスによって前記第２のデバイスに、前記単一のグラントによって識別された前記１またはそれ以上のＳＡリソース上で前記ＳＡを送信することと、ここにおいて、前記ＳＡは、前記Ｄ２Ｄ通信のための前記単一のグラントによって識別された前記１またはそれ以上のデータリソース上での前記データ送信をスケジュールする、
を行うように前記プロセッサによって実行可能である、
第１のデバイス。
【請求項４８】
第１のデバイスにおける通信のためのコードを記憶した、コンピュータ可読記憶媒体であって、前記コードは、
前記第１のデバイスにおいて、基地局から単一のグラントを受信することと、ここにおいて、前記単一のグラントは、前記第１のデバイスと第２のデバイスとの間でのデバイス間（Ｄ２Ｄ）通信のために前記第１のデバイスから前記第２のデバイスにスケジューリング割当て（ＳＡ）がそれにおいて送信されるべき１またはそれ以上のＳＡリソースを識別し、前記単一のグラントは、前記第１のデバイスと前記第２のデバイスとの間での前記Ｄ２Ｄ通信のためにデータがそれにおいて送信されるべき１またはそれ以上のデータリソースを識別する、
前記第１のデバイスによって前記第２のデバイスに、前記単一のグラントによって識別された前記１またはそれ以上のＳＡリソース上で前記ＳＡを送信することと、ここにおいて、前記ＳＡは、前記Ｄ２Ｄ通信のための前記単一のグラントによって識別された前記１またはそれ以上のデータリソース上での前記データ送信をスケジュールする、
を行うように実行可能な命令を備える、コンピュータ可読記憶媒体。
【発明の詳細な説明】
【技術分野】
【０００１】
（相互参照）
[0001]  本特許出願は、各々が本願の譲受人に譲渡された、Ｐａｔｉｌ他の「Scheduling of Device-To-Device Scheduling Assignment for Mode1」と題する２０１５年１月２８日出願の米国特許出願第１４／６０７，３８３号、およびＰａｔｉｌ他の「Scheduling of Device-To-Device Scheduling Assignment for Mode1」と題する２０１４年３月１９日出願の米国仮特許出願第６１／９５５，６４３号の優先権を主張する。
【０００２】
[0002]  本開示は、例えば、ワイヤレス通信システムに関し、より詳細には、デバイス間の直接ワイヤレス通信を利用し得るシステムにおいてデバイス間スケジューリング割当てをスケジュールするための技法に関する。
【背景技術】
【０００３】
[0003]  ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムが含まれる。
【０００４】
[0004]  概して、ワイヤレス多元接続通信システムは、各々が複数のモバイルデバイスまたは他のユーザ機器（ＵＥ）デバイスのための通信を同時にサポートする、いくつかの基地局を含み得る。基地局は、ダウンストリームリンクおよびアップストリームリンク上でＵＥと通信し得る。各基地局は、セルのカバレッジエリアと呼ばれることのある、カバレッジ範囲を有する。デバイス間（Ｄ２Ｄ：device-to-device）通信は、基地局のカバレッジエリア内の、または基地局のカバレッジエリアを越える、ＵＥ間の直接ワイヤレス通信を含む。Ｄ２Ｄ通信は、デバイスがカバレッジエリア内にある場合、基地局からの送信をスケジュールすることによって容易にされ得る。いくつかのケースでは、Ｄ２Ｄ通信は、例えば、警察、消防および救急チームなどの公共安全士官によって利用される。
【０００５】
[0005]  ＵＥが特定の通信モードにあるときには、Ｄ２Ｄ通信を介してデータを送信する前に、基地局からグラント（grants）を受け取ることが必要な場合がある。例えば、ＵＥがモード１にあるときには、ＵＥは、基地局からグラントを受信することを要求され得る。これらのグラントは、Ｄ２Ｄ通信におけるさまざまな送信のためにＵＥがどのリソースを使用するべきかを示し得る。
【発明の概要】
【０００６】
[0006]  ここに記載される特徴は、一般に、デバイス間（Ｄ２Ｄ）通信のためのグラントを送信または受信するための、１つまたは複数の改善されたシステム、方法、および／または装置に関する。さまざまな実施例によれば、少なくとも１つのグラントがデバイスに送信され得る。少なくとも１つのグラントは、Ｄ２Ｄ通信のためにデバイスによってスケジューリング割当て（ＳＡ：scheduling assignment）がそれにおいて送信されるべき１またはそれ以上のスケジューリング割当て（ＳＡ）リソースを識別し得る。少なくとも１つのグラントは、また、Ｄ２Ｄ通信のためにデバイスによってデータがそれにおいて送信されるべき１またはそれ以上のデータリソースを識別し得る。特定の実施例では、少なくとも１つのグラントは、スクランブリングタイプに従ってスクランブルされ得る。スクランブリングタイプは、１またはそれ以上のＳＡリソースと１またはそれ以上のデータリソースがＤ２Ｄ通信に割り当てられることを示し得る。デバイスは、少なくとも１つのグラントを受信し、少なくとも１つのグラントのリソースがＤ２Ｄ通信のためのものであることを示す、スクランブリングタイプに従って、少なくとも１つのグラントをデスクランブルする。デバイスは、次いで、Ｄ２Ｄ通信のためにリソースを使用し得る。
【０００７】
[0007]  ワイヤレス通信のための方法について説明する。一構成では、該方法は、少なくとも１つのグラントをデバイスに送信することを含む。実施例では、少なくとも１つのグラントは、Ｄ２Ｄ通信によってＳＡがそれにおいて送信されるべき１またはそれ以上のＳＡリソースを識別し得る。さらに、少なくとも１つのグラントは、Ｄ２Ｄ通信のためにデバイスによってデータがそれにおいて送信されるべき１またはそれ以上のデータリソースを識別し得る。
【０００８】
[0008]  いくつかの実施例では、該方法は、また、スクランブリングタイプに従って少なくとも１つのグラントをスクランブルすることを含み得る。このような実施例では、スクランブリングタイプは、１またはそれ以上のＳＡリソースと１またはそれ以上のデータリソースがＤ２Ｄ通信に割り当てられることを示し得る。いくつかの実施例では、スクランブリングタイプは、Ｄ２Ｄ無線ネットワーク一時識別子（ＲＮＴＩ：radio network temporary identifier）を含み得る。さらに、スクランブリングタイプは、半持続的なスケジューリング（ＳＰＳ：semi-persistent scheduling）Ｄ２Ｄ  ＲＮＴＩを含み得る。いくつかの実施例では、スクランブルすることは、少なくとも１つのグラントの巡回冗長検査（ＣＲＣ：cyclic redundancy check）をスクランブルすることを含み得る。
【０００９】
[0009]  いくつかの実施例では、少なくとも１つのグラントは、単一のグラントであり得る。このような実施例では、単一のグラントは、デバイスがＳＡを送信するために使用すべき１またはそれ以上のＳＡリソースを識別し得る。いくつかの実施例では、１またはそれ以上のデータリソースは、１またはそれ以上のＳＡリソースに少なくとも部分的に基づいてデバイスによって識別され得る。
【００１０】
[0010]  他の実施例では、少なくとも１つのグラントは、第１のグラントと第２のグラントとを含み得る。このような実施例では、第１のグラントは、１またはそれ以上のＳＡリソースを識別し得、第２のグラントは、１またはそれ以上のデータリソースを識別し得る。いくつかの実施例では、送信することは、第１の時間期間において１またはそれ以上のＳＡリソースを識別する第１のグラントを送信することと、第２の時間期間において１またはそれ以上のデータリソースを識別する第２のグラントを送信することと、を含み得る。第２の時間期間は、第１の時間期間とは異なるものであり、第１の時間期間に少なくとも部分的に基づいて決定され得る。いくつかの実施例では、方法は、また、１またはそれ以上のＳＡリソースを識別する第１のグラントの送信と、１またはそれ以上のデータリソースを識別する第２のグラントの送信とを区別するために、インジケータをセットすることを含み得る。
【００１１】
[0011]  いくつかの実施例では、少なくとも１つのグラントは、ＳＡ送信電力、ＳＡ変調コーディング方式（ＭＣＳ）、ＳＡ冗長バージョン（SA redundancy version）、またはそれらの組合せを含み、または識別し得る。代替的に、または追加的に、少なくとも１つのグラントは、データ送信電力、データＭＣＳ、データ冗長バージョン、またはそれらの組合せを含み、または識別し得る。代替的に、または追加的に、少なくとも１つのグラントは、ＳＡの宛先デバイスについてのターゲット識別（ＩＤ）を含み、または識別し得、ここで、ターゲットＩＤは、グループキャストＩＤ、ブロードキャストＩＤ、またはユニキャストＩＤである。このような実施例では、ターゲットＩＤは、圧縮された、またはインデックスベースのものであり得る。代替的に、または追加的に、少なくとも１つのグラントは、１またはそれ以上のデータリソースの時間ホッピングパターン、１またはそれ以上のデータリソースの周波数ホッピングパターン、またはそれらの組合せを含み、または識別し得る。いくつかの実施例では、少なくとも１つのグラントは、１またはそれ以上の送信電力制御（ＴＰＣ）ビットを含み得る。ＴＰＣビットは、ＳＡ送信電力またはデータ送信電力を示し得る。
【００１２】
[0012]  いくつかの実施例では、少なくとも１つのグラントは、ロングタームエボリューション（ＬＴＥ（登録商標））において、物理ダウンリンク制御チャネル（ＰＤＣＣＨ）もしくは物理ダウンリンク共有チャネル（ＰＤＳＣＨ）、またはそれらの組合せを介して送信され得る。そのような実施例では、少なくとも１つのグラントは、ダウンリンク制御情報（ＤＣＩ）に含められ得る。いくつかの実施例では、ＰＤＳＣＨは、Ｄ２Ｄ通信のための１またはそれ以上のＳＡリソースと１またはそれ以上のデータリソースとの両方に関する情報を含み得る。いくつかの実施例では、該方法は、また、少なくとも１つのグラントがＤ２Ｄ通信に関係することを示すためにＤ２Ｄ  ＲＮＴＩによりＰＤＣＣＨを介して送信された少なくとも１つのグラントをスクランブルすることを含み得る。代替的に、または追加的に、該方法は、ターゲットＩＤによりＰＤＣＣＨを介して送信された少なくとも１つのグラントをスクランブルすることを含み得る。
【００１３】
[0013]  ワイヤレス通信のための装置について説明する。一構成では、装置は、少なくとも１つのグラントをデバイスに送信するための手段を含み得る。少なくとも１つのグラントは、Ｄ２Ｄ通信のためにデバイスによってＳＡがそれにおいて送信されるべき１またはそれ以上のＳＡリソースを識別し得る。少なくとも１つのグラントは、また、Ｄ２Ｄ通信のためにデバイスによってデータがそれにおいて送信されるべき１またはそれ以上のデータリソースを識別し得る。
【００１４】
[0014]  ワイヤレス通信システムで使用するためのデバイスについて説明する。一構成では、デバイスは、プロセッサと、プロセッサと電子通信するメモリとを含み得る。命令がメモリ内に記憶され得る。命令は、少なくとも１つのグラントをデバイスに送信するようにプロセッサによって実行可能であり得る。少なくとも１つのグラントは、Ｄ２Ｄ通信のためにデバイスによってＳＡがそれにおいて送信されるべき１またはそれ以上のＳＡリソースを識別し得る。少なくとも１つのグラントは、また、Ｄ２Ｄ通信のためにデバイスによってデータがそれにおいて送信されるべき１またはそれ以上のデータリソースを識別し得る。
【００１５】
[0015]  また、コンピュータプログラム製品についても説明する。コンピュータプログラム製品は、コンピュータ可読のプログラムコードがそれに記憶された、有形のコンピュータ可読記憶デバイスであり得る。コンピュータ可読のプログラムコードは、少なくとも１つのグラントをデバイスに送信することを少なくとも１つのプロセッサに行わせるように構成された、コンピュータ可読のプログラムコードを含み得る。少なくとも１つのグラントは、Ｄ２Ｄ通信のためにデバイスによってＳＡがそれにおいて送信されるべき１またはそれ以上のＳＡリソースを識別し得る。少なくとも１つのグラントは、また、Ｄ２Ｄ通信のためにデバイスによってデータがそれにおいて送信されるべき１またはそれ以上のデータリソースを識別し得る。
【００１６】
[0016]  ワイヤレス通信のための他の方法について説明する。一構成では、該方法は、基地局から少なくとも１つのグラントを受信することを含む。実施例では、少なくとも１つのグラントは、Ｄ２Ｄ通信のためにデバイスによってＳＡがそれにおいて送信されるべき１またはそれ以上のＳＡリソースを識別し得る。少なくとも１つのグラントは、また、Ｄ２Ｄ通信のためにデバイスによってデータがそれにおいて送信されるべき１またはそれ以上のデータリソースを識別し得る。
【００１７】
[0017]  いくつかの実施例では、少なくとも１つのグラントは、スクランブルされ得る。このようなケースでは、該方法は、デスクランブリング技法に従って少なくとも１つのグラントをデスクランブルすることを含み得る。このような実施例では、該方法は、また、デスクランブリング技法に少なくとも部分的に基づいて１またはそれ以上のＳＡリソースおよび１またはそれ以上のデータリソースがＤ２Ｄ通信に割り当てられることを決定することを含み得る。代替的に、または追加的に、該方法は、デスクランブリング技法に少なくとも部分的に基づいて１またはそれ以上のＳＡリソースおよび１またはそれ以上のデータリソースがＤ２Ｄ通信に半持続的に割り当てられることを決定することを含み得る。代替的に、または追加的に、デスクランブルすることは、少なくとも１つのグラントのＣＲＣをデスクランブルすることを含み得る。
【００１８】
[0018]  いくつかの実施例では、少なくとも１つのグラントは、単一のグラントであり得る。このような実施例では、該方法は、単一のグラントから、ＳＡを送信するために使用するべき１またはそれ以上のＳＡリソースを識別することを含み得る。該方法は、また、１またはそれ以上のＳＡリソースに少なくとも部分的に基づいて、データを送信するために使用すべき１またはそれ以上のデータリソースを識別することを含み得る。
【００１９】
[0019]  他の実施例では、少なくとも１つのグラントは、第１のグラントと第２のグラントとを含み得る。第１のグラントは、１またはそれ以上のＳＡリソースを識別し得、第２のグラントは、１またはそれ以上のデータリソースを識別し得る。このような実施例では、受信することは、第１の時間期間において１またはそれ以上のＳＡリソースを識別する第１のグラントを受信することと、第２の時間期間において１またはそれ以上のデータリソースを識別する第２のグラントを受信することと、を含み得る。第２の時間期間は、第１の時間期間とは異なるものであり得、第１の時間期間に少なくとも部分的に基づいて決定され得る。いくつかの実施例では、該方法は、１またはそれ以上のＳＡリソースを識別する第１のグラントの送信と、１またはそれ以上のデータリソースを識別する第２のグラントの送信とを区別するために、インジケータを解析することを含み得る。
【００２０】
[0020]  いくつかの実施例では、少なくとも１つのグラントは、ＬＴＥにおいて、ＰＤＣＣＨもしくはＰＤＳＣＨ、またはそれらの組合せを介して受信され得る。このような実施例では、ＰＤＳＣＨは、Ｄ２Ｄ通信のための１またはそれ以上のＳＡリソースと１またはそれ以上のデータリソースの両方に関する情報を含み得る。いくつかの実施例では、該方法は、少なくとも１つのグラントがＤ２Ｄ通信に関係することを示すために、Ｄ２Ｄ  ＲＮＴＩにより、ＰＤＣＣＨを介して送信された少なくとも１つのグラントをデスクランブルすることを含み得る。代替的に、または追加的に、該方法は、ターゲットＩＤにより、ＰＤＣＣＨを介して送信された少なくとも１つのグラントをデスクランブルすることを含み得る。いくつかの実施例では、少なくとも１つのグラントは、ＤＣＩに含まれ得る。
【００２１】
[0021]  ワイヤレス通信のための他の装置について説明する。一構成では、該装置は、基地局から少なくとも１つのグラントを受信するための手段を含み得る。少なくとも１つのグラントは、Ｄ２Ｄ通信のためにデバイスによってＳＡがそれにおいて送信されるべき１またはそれ以上のＳＡリソースを識別し得、Ｄ２Ｄ通信のためにデバイスによってデータがそれにおいて送信されるべき１またはそれ以上のデータリソースを識別し得る。
【００２２】
[0022]  ワイヤレス通信のための他のデバイスについて説明する。一構成では、該デバイスは、プロセッサと、プロセッサと電子通信するメモリと、を含み得る。命令がメモリに記憶され得る。命令は、基地局から少なくとも１つのグラントを受信するようにプロセッサによって実行可能であり得る。少なくとも１つのグラントは、Ｄ２Ｄ通信のためにデバイスによってＳＡがそれにおいて送信されるべき１またはそれ以上のＳＡリソースを識別し、Ｄ２Ｄ通信のためにデバイスによってデータがそれにおいて送信されるべき１またはそれ以上のデータリソースを識別し得る。
【００２３】
[0023]  他のコンピュータプログラム製品について説明する。一構成では、コンピュータプログラム製品は、コンピュータ可読のプログラムコードを記憶した、有形のコンピュータ可読記憶デバイスであり得る。コンピュータ可読のプログラムコードは、少なくとも１つのプロセッサに基地局から少なくとも１つのグラントを受信させるように構成されたコンピュータ可読のプログラムコードを含み得る。少なくとも１つのグラントは、Ｄ２Ｄ通信のためにデバイスによってＳＡがそれにおいて送信されるべき１またはそれ以上のＳＡリソースを識別し得、Ｄ２Ｄ通信のためにデバイスによってデータがそれにおいて送信されるべき１またはそれ以上のデータリソースを識別し得る。
【００２４】
[0024]  ここに記載の方法および装置の適用可能性のさらなる範囲は、以下の詳細な説明、特許請求の範囲、および図面から明らかになる。本明細書の趣旨および範囲内の様々な変更および修正が当業者には明らかになるので、詳細な説明および具体的な実施例は、例示の目的で与えるものにすぎない。
【００２５】
[0025]  本発明の性質および利点のさらなる理解は、添付の図面を参照することにより実現され得る。添付の図では、類似の構成要素または特徴は、同じ参照ラベルを有し得る。さらに、同じタイプの様々な構成要素は、参照ラベルの後の、ダッシュと、類似の構成要素を区別する第２のラベルとによって区別され得る。本明細書において第１の参照ラベルだけが使用されている場合、その説明は、第２の参照ラベルにかかわらず、同じ第１の参照ラベルを有する類似の構成要素のいずれにも適用可能である。
【図面の簡単な説明】
【００２６】
【図１】[0026]  図１は、本開示の様々な態様によるワイヤレス通信システムのブロック図である。
【図２】[0027]  図２は、本開示の様々な態様による、スケジューリング割当て（ＳＡ）およびデータの送信のためのＳＡおよびデータリソースのブロック図である。
【図３】[0028]  図３は、本開示の様々な態様による、デバイス間（Ｄ２Ｄ）通信において使用するためのデバイスのブロック図である。
【図４】[0029]  図４は、本開示の様々な態様による、Ｄ２Ｄ通信において使用するためのデバイスのブロック図である。
【図５】[0030]  図５は、本開示の様々な態様による、Ｄ２Ｄ通信において使用するためのデバイスのブロック図である。
【図６】[0031]  図６は、本開示の様々な態様による、Ｄ２Ｄ通信において使用するためのデバイスのブロック図である。
【図７】[0032]  図７は、本開示の様々な態様による、Ｄ２Ｄ通信を実装するためのシステムにおけるＵＥのブロック図である。
【図８】[0033]  図８は、本開示の様々な態様による、Ｄ２Ｄ通信を実装するためのシステムにおける基地局のブロック図である。
【図９】[0034]  図９は、本開示の様々な態様による、ワイヤレス通信のための方法を示すフローチャートである。
【図１０】[0035]  図１０は、本開示の様々な態様による、ワイヤレス通信のための方法を示すフローチャートである。
【図１１】[0036]  図１１は、本開示の様々な態様による、ワイヤレス通信のための方法を示すフローチャートである。
【図１２】[0037]  図１２は、本開示の様々な態様による、ワイヤレス通信のための方法を示すフローチャートである。
【図１３】[0038]  図１３は、本開示の様々な態様による、ワイヤレス通信のための方法を示すフローチャートである。
【図１４】[0039]  図１４は、本開示の様々な態様による、ワイヤレス通信のための方法を示すフローチャートである。
【詳細な説明】
【００２７】
[0040]  デバイス間（Ｄ２Ｄ）通信のためのグラントを送信または受信するための１つまたは複数の改善されたシステム、方法、および／または装置に一般的に関係する特徴について説明する。基地局からデバイスに送信される１またはそれ以上のグラントが、Ｄ２Ｄ通信のためにデバイスによってスケジューリング割当て（ＳＡ）がそれにおいて送信されるべき１またはそれ以上のＳＡリソースを識別し得る。１またはそれ以上のグラントは、また、Ｄ２Ｄ通信のためにデバイスによってデータがそれにおいて送信されるべき１またはそれ以上のデータリソースを識別し得る。
【００２８】
[0041]  特定の実施例では、（１またはそれ以上の）ＳＡリソースおよび（１またはそれ以上の）データリソースは、単一のグラントにおいて識別され得る。（１またはそれ以上の）データリソースは、明示的に、または（１またはそれ以上の）ＳＡリソースに少なくとも部分的に基づいて暗黙的に、識別され得る。他の実施例では、（１またはそれ以上の）ＳＡリソースは、第１のグラントにおいて識別され、（１またはそれ以上の）データリソースは、第２のグラントにおいて識別され得る。このような場合、第１のグラントは、第１の時間期間において送信され、第２のグラントは、第１の時間期間とは異なる、そして第１の時間期間に少なくとも部分的に基づく、第２の時間期間において送信され得る。あるいは、いくつかの実施例では、第１のグラントの送信と第２のグラントの送信とをデバイスが区別できるようにするために、インジケータが使用され得る。さらに、グラントは、グラントがＤ２Ｄ通信に関係するリソースのためのものであるか、またはグラントが広域ネットワーク（ＷＡＮ）通信に関係するリソースのためのものであるかをデバイスが決定できるようにするために、スクランブルされ得る。
【００２９】
[0042]  本明細書で説明する技法は、ＣＤＭＡ、ＴＤＭＡ、ＦＤＭＡ、ＯＦＤＭＡ、ＳＣ−ＦＤＭＡおよび他のシステムなどの様々なワイヤレス通信システムに使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格を包含する。ＩＳ−２０００リリース０およびＡは、一般的に、ＣＤＭＡ２０００  １Ｘ、１Ｘなどと呼ばれる。ＩＳ−８５６（ＴＩＡ−８５６）は、一般的に、ＣＤＭＡ２０００  １ｘＥＶ−ＤＯ、高速パケットデータ（ＨＲＰＤ）などと呼ばれる。ＵＴＲＡは、Ｗｉｄｅｂａｎｄ  ＣＤＭＡ（ＷＣＤＭＡ（登録商標））とＣＤＭＡの他の変形形態とを含む。ＴＤＭＡシステムは、Global System for Mobile Communications（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイル電気通信システム（ＵＭＴＳ）の一部である。３ＧＰＰ（登録商標）ロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明する技法は、上記のシステムおよび無線技術、ならびに他のシステムおよび無線技術に使用され得る。以下の説明は、例示の目的でＬＴＥシステムについて説明するものであり、以下の説明の大部分においてＬＴＥ用語が使用されるが、本技法は、ＬＴＥ用途以外にも適用可能である。
【００３０】
[0043]  したがって、以下の説明は、実施例を提供するものであり、特許請求の範囲に記載された範囲、適用可能性、または構成を限定するものではない。本開示の趣旨および範囲から逸脱することなく、ここに記載される要素の機能および配置に変更を加えることができる。様々な実施例が、適切なように、様々な手順または構成要素を省略し、置換し、または追加し得る。例えば、ここに記載された方法は、ここに記載された方法とは異なる順序で実施され得、様々なステップが追加され、省略され、または組み合され得る。また、特定の実施例に関して記載した特徴は、他の実施例において組み合され得る。
【００３１】
[0044]  図１は、本開示の様々な態様による、ワイヤレス通信システム１００のブロック図を示す。ワイヤレス通信システム１００は、基地局１０５と、ユーザ機器（ＵＥ）１１５としても知られている通信デバイスと、コアネットワーク１３０とを含む。基地局１０５は、様々な実施例においてコアネットワーク１３０または基地局１０５の一部であり得る、基地局コントローラ（図示せず）の制御下で、ＵＥ１１５と通信し得る。基地局１０５は、バックホールリンク１３２を通じてコアネットワーク１３０と制御情報および／またはユーザデータを通信し得る。実施例では、基地局１０５は、直接的に、またはワイヤードもしくはワイヤレス通信リンクであり得るバックホールリンク１３４を通じて間接的に、互いに通信し得る。ワイヤレス通信システム１００は、マルチプルなキャリア（異なった周波数の波形信号）上での動作をサポートし得る。ワイヤレス通信リンク１２５は、さまざまな無線技術にしたがって変調され得る。各変調信号は、制御情報（例えば、基準信号、制御チャネルなど）、オーバーヘッド情報、データなどを搬送し得る。ワイヤレス通信リンク１２５は、また、Ｄ２Ｄ通信として知られる構成においてＵＥ１１５の間に確立され得る。
【００３２】
[0045]  基地局１０５は、１またはそれ以上の基地局アンテナを介してＵＥ１１５とワイヤレスに通信し得る。基地局１０５サイトの各々は、それぞれの地理的エリア１１０に通信カバレッジを提供し得る。いくつかの実施例では、基地局１０５は、ベーストランシーバ局、無線基地局、アクセスポイント、無線トランシーバ、基本サービスセット（ＢＳＳ）、拡張サービスセット（ＥＳＳ）、ノードＢ、ｅノードＢ（ｅＮＢ）、ホームノードＢ、ホームｅノードＢ、または他の何らかの適切な用語で呼ばれ得る。基地局についてのカバレッジエリア１１０は、カバレッジエリアの一部分のみを構成するセクタへと分割され得る。ワイヤレス通信システム１００は、異なるタイプの基地局１０５（例えば、マクロ、ミクロ、および／またはピコ基地局）を含み得る。異なる技術に関する重なり合うカバレッジエリアが存在し得る。
【００３３】
[0046]  ワイヤレス通信システム１００は、異なるタイプの基地局が様々な地理的領域にカバレッジを提供する、異種ＬＴＥ／ＬＴＥ−Ａネットワークであり得る。たとえば、各基地局１０５は、マクロセル、ピコセル、フェムトセル、および／または他のタイプのセルに通信カバレッジを提供し得る。マクロセルは、概して、比較的大きい地理的エリア（たとえば、半径数キロメートル）をカバーし、ネットワークプロバイダのサービスに加入しているＵＥによる無制限アクセスを可能にし得る。ピコセルは、概して、比較的小さい地理的エリアをカバーし、ネットワークプロバイダのサービスに加入しているＵＥによる無制限アクセスを可能にし得る。フェムトセルは、また、概して、比較的小さい地理的エリア（たとえば、自宅）をカバーすることになり、無制限アクセスに加えて、フェムトセルとの関連付けを有するＵＥによる限定アクセスも提供し得る。
【００３４】
[0047]  コアネットワーク１３０は、バックホール１３２（たとえば、Ｓ１など）を介して基地局１０５と通信し得る。基地局１０５はまた、たとえば、バックホールリンク１３４（たとえば、Ｘ２など）を介して、および／またはバックホールリンク１３２を介して（たとえば、コアネットワーク１３０を通じて）、直接的または間接的に互いに通信し得る。ワイヤレス通信システム１００は、同期動作または非同期動作をサポートし得る。同期動作の場合、基地局は、類似のフレームタイミングを有し得、異なる基地局からの送信は、時間的にほぼアライメントされ得る。非同期動作の場合、基地局は、異なるフレームタイミングを有し得、異なる基地局からの送信は、時間的にアライメントされていないことがある。本明細書で説明する技法は、同期動作または非同期動作のいずれかに使用され得る。
【００３５】
[0048]  ＵＥ１１５は、ワイヤレス通信システム１００全体に分散し、各ＵＥは、固定式または可動式であり得る。ＵＥ１１５が、Ｄ２Ｄ通信を使用して他のＵＥ１１５と通信し得る。Ｄ２Ｄ通信を利用しているＵＥのグループのうちの１またはそれ以上（例えば、第１のＵＥ１１５−ａ−ａ−１）は、セルのカバレッジエリア１１０−ａ内にあり得る。このようなグループ内の他のＵＥ（例えば、第２のＵＥ１１５−ａ−２および第３のＵＥ１１５−ａ−３）は、セルのカバレッジエリア１１０−ａの外側にあり得、あるいは基地局１０５からの送信を受信可能でないことがあり得る。Ｄ２Ｄ通信を介して通信しているＵＥ１１５−ａのグループは、各ＵＥ１１５−ａがグループ内の他のあらゆるＵＥ１１５−ａに送信する、１対多（１：Ｍ）のシステムを利用し得る。いくつかのケースでは、基地局１０５は、Ｄ２Ｄ通信のためのリソースのスケジューリングを容易にする。他のケースでは、Ｄ２Ｄ通信は、基地局１０５から独立して行なわれる。いくつかのケースでは、Ｄ２Ｄ通信に関わっているＵＥ１１５−ａは、比較的近接して位置し得る。他の状況では、ＵＥ１１５−ａは、長い距離を越えて互いに通信し得る。前述のように、いくつかの実施例では、基地局１０５が、ＵＥ１１５−ａ−１がそのＤ２Ｄ通信のために使用すべきリソースを示す１またはそれ以上のグラントをＵＥ１１５−ａ−１に送信し得る。基地局１０５は、ＵＥがＷＡＮ通信に関連づけられたグラントとＤ２Ｄ通信に関係するグラントとを区別できるようにするために、グラントをスクランブルし得る。
【００３６】
[0049]  ＵＥ１１５は、また、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、スマートフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、ピコｅＮＢ、フェムトｅＮＢ、リレーなどと通信することが可能であり得る。
【００３７】
[0050]  ワイヤレス通信システム１００中に示されたワイヤレス通信リンク１２５は、ＵＥ１１５から基地局１０５へのアップリンク（ＵＬ）送信、および／または、ＤＬキャリアを通じた基地局１０５からＵＥ１１５へのダウンリンク（ＤＬ）送信を含み得る。それらはまた、Ｄ２Ｄ通信リンクも表している。ダウンリンク送信は、順方向リンク送信と呼ばれることもあり、アップリンク送信は、逆方向リンク送信と呼ばれることもある。
【００３８】
[0051]  図２は、本開示の様々な態様による、ＳＡおよびデータの送信のためのＳＡリソースプールおよびデータリソースプールの例２００を示すブロック図を示す。具体的には、図２は、第１のＳＡリソースプール２０５−ａおよび第１のデータリソースプール２１０−ａと、第２のＳＡリソースプール２０５−ｂおよび第２のデータリソースプール２１０−ｂとを示す。リソースプール２０５および２１０は、例えば、Ｄ２Ｄ通信において、図１のＵＥ１１５などのＵＥの間でＳＡおよびデータを送信するために使用され得る。いくつかの実施例では、送信ＵＥは、ＳＡリソースプール２０５−ａ内からリソースＳＡ１  ２１５を使用して、１またはそれ以上の受信ＵＥに第１のＳＡを送信し得る。第１のＳＡは、１またはそれ以上の受信ＵＥまたはデバイスにデータの後続の送信のためのリソース（例えば、異なった時間および／または周波数リソース）を示し得る。図２の例では、第１のＳＡは、受信ＵＥにデータを送信するために使用され得るデータリソースプール２１０−ａ内からのリソースＤ１  ２２０、Ｄ２  ２２５、およびＤ３  ２３０を示し得る。第１のＳＡの中身（content）は、データ送信に関する１またはそれ以上の情報アイテムを示し得、これについては以下でより詳細に説明する。特定の実施例によれば、第１のＳＡは、リソースＳＡ１  ２１５内の他のリソースを使用して１回またはそれ以上再送信され得る。第１のＳＡの再送信は、特定の時間および／または周波数における再送信など、所定の再送信パターンに従って実施され得る。
【００３９】
[0052]  この実施例では、データリソースプール２１０−ａの後に、リソースＳＡ２  ２３５を使用して第２のＳＡを送信するために使用され得る、第２のＳＡリソースプール２０５−ｂが続く。第１のＳＡの場合と同様に、第２のＳＡは、ＳＡ２  ２３５の他のリソースを使用して１回またはそれ以上再送信され得、受信ＵＥにデータを送信するために使用され得るデータリソースプール２１０−ｂ内からのリソースＤ４  ２４０、Ｄ５  ２４５、およびＤ６  ２５０を示し得る。送信ＵＥからのＤ２Ｄ送信は、１またはそれ以上の受信ＵＥにブロードキャスト送信として送信され得る。いくつかの実施例によれば、受信ＵＥは、ＳＡリソースプール２０５−ａを監視し、第１のＳＡを受信し得る。後続のデータ送信において受信側ＵＥがデータを受信すべきことを第１のＳＡが示す場合、受信ＵＥは、第１のＳＡによって示された時間中にのみデータリソースプール２１０−ａを監視し、したがって、データプールリソースＤ１  ２２０、Ｄ２  ２２５、およびＤ３  ２３０だけを監視することにより電力を節約し得る。同様に、データリソースプール２１０−ａにおいてデータを受信するように受信側ＵＥがスケジュールされたことを、第１のＳＡ、またはＳＡリソースプール２０５−ａ内で送信される他のいずれのＳＡも示さないことを、受信ＵＥが決定した場合、受信ＵＥは、第２のＳＡリソースプール２０５−ｂまで、Ｄ２Ｄ送信を監視することを中止し得る。
【００４０】
[0053]  図３は、本開示の様々な態様による、Ｄ２Ｄ通信において使用するためのＵＥ１１５−ｂのブロック図３００を示す。ＵＥ１１５−ｂは、図１に関して説明したＵＥ１１５の１またはそれ以上の態様の一例であり得る。ＵＥ１１５−ｂは、受信機３０５、Ｄ２Ｄ管理モジュール３１０、および／または送信機３１５を含み得る。ＵＥ１１５−ｂはまた、プロセッサを含み得る。これらのコンポーネントの各々は、互いに通信し得る。
【００４１】
[0054]  ＵＥ１１５−ｂのコンポーネントは、個々にまたは集合的に、ハードウェアにおいて利用可能な機能の一部またはすべてを実施するように適合された１またはそれ以上の特定用途向け集積回路（ＡＳＩＣ）により実装され得る。代替的に、それらの機能は、１またはそれ以上の集積回路上の１またはそれ以上の他の処理ユニット（またはコア）によって実施され得る。他の実施例では、当該技術分野において知られている任意の方法でプログラムされ得る、他のタイプの集積回路が使用され得る（例えば、構造化／プラットフォームＡＳＩＣ、フィールドプログラマブルゲートアレイ（ＦＰＧＡ）、および他のセミカスタムＩＣ）。各ユニットの機能は、また、全体的にまたは部分的に、１またはそれ以上の汎用または特定用途向けプロセッサによって実行されるようにフォーマットされた、メモリに組み込まれた命令によって、実装され得る。
【００４２】
[0055]  受信機３０５は、パケット、ユーザデータ、および／または様々な情報チャネル（たとえば、制御チャネル、データチャネルなど）に関連づけられた制御情報などの情報を受信し得る。例えば、受信機３０５は、ＳＡおよび／またはデータ送信のために使用されるべき１またはそれ以上のリソースを示す基地局１０５からの１またはそれ以上のメッセージを受信し得る。（１またはそれ以上の）メッセージは、物理ダウンリンク制御チャネル（ＰＤＣＣＨ）および／または物理ダウンリンク共有チャネル（ＰＤＳＣＨ）を介して受信され得る。基地局１０５からの（１またはそれ以上の）メッセージは、Ｄ２Ｄ通信のためにＵＥ１１５−ｂによってＳＡがそれにおいて送信されるべき１またはそれ以上のＳＡリソースを識別し、Ｄ２Ｄ通信のためにＵＥ１１５−ｂによってデータがそれにおいて送信されるべき１またはそれ以上のデータリソースを識別する、１またはそれ以上のグラントとして受信され得る。いくつかの例では、（１またはそれ以上の）グラントは、ＤＣＩフォーマット０など、ダウンリンク制御情報（ＤＣＩ）に含まれ得る。受信機３０５は、単独で、またはＤ２Ｄ管理モジュール３１０との組合せで、１またはそれ以上のグラントを受信するための手段であり得る。
【００４３】
[0056]  Ｄ２Ｄ管理モジュール３１０は、基地局１０５から受信された（１またはそれ以上の）グラントから、Ｄ２Ｄ通信のために使用すべき（１またはそれ以上の）ＳＡリソースおよび（１またはそれ以上の）データリソースを識別し、あるいは何らかの形で決定し得る。いくつかの実施例では、受信された（１またはそれ以上の）グラントは、ＳＡ送信電力、ＳＡ変調およびコーディングスキーム（ＭＣＳ）、および／またはＳＡ冗長バージョン（ＲＶ）を含むか、あるいは何らかの形で指示し得る。代替的に、または追加的に、受信された（１またはそれ以上の）グラントは、データ送信電力、データＭＣＳ、および／またはデータＲＶを含むか、あるいは何らかの形で指示し得る。さらに、受信された（１またはそれ以上の）グラントは、ＳＡの宛先デバイスに関するターゲット識別（ＩＤ）を含むか、あるいは何らかの形で指示し得る。ターゲットＩＤは、グループキャストＩＤ、ブロードキャストＩＤ、またはユニキャストＩＤであり得る。ターゲットＩＤは、圧縮されたものであり得、またはインデックスベースのものであり得る。受信された（１またはそれ以上の）グラントは、また、１またはそれ以上のデータリソースの時間ホッピングパターンおよび／または１またはそれ以上のデータリソースの周波数ホッピングパターンを含むか、あるいは指示し得る。いくつかの実施例では、受信された（１またはそれ以上の）グラントは、ＳＡ送信電力および／またはデータ送信電力を示し得る、１またはそれ以上の送信電力制御（ＴＰＣ）ビットを含み得る。Ｄ２Ｄ管理モジュール３１０は、受信された（１またはそれ以上の）グラントからこのような情報を決定するように構成され得る。例えば、ＳＡ送信電力およびデータ送信電力についてＴＰＣビットによって示されたデルタのサイズは、例えば、ＵＥ１１５−ｂがＴＰビットを解釈することができるように、無線リソース制御（ＲＲＣ）メッセージを介してＵＥ１１５−ｂにシグナリングされ得る。Ｄ２Ｄ管理モジュール３１０は、Ｄ２Ｄ通信のためのリソースを識別するための手段であり得る。
【００４４】
[0057]  Ｄ２Ｄ管理モジュール３１０は、受信機３０５および／または送信機３１５を使用してＤ２Ｄ通信を実施するようにさらに構成され得る。Ｄ２Ｄ管理モジュール３１０は、受信された（１またはそれ以上の）グラントによって提供される情報に従ってＤ２Ｄ通信を実装し得る。
【００４５】
[0058]  送信機３１５は、ＵＥ１１５−ｂの他のコンポーネントから受信された１またはそれ以上の信号を送信し得る。例えば、送信機３１５は、Ｄ２Ｄ送信において１またはそれ以上の受信ＵＥにＳＡおよびデータ送信を送信し得る。いくつかの実施例では、送信機３１５は、トランシーバモジュールにおいて受信機３０５とコロケートされ得る。送信機３１５は、単一のアンテナを含み得、あるいは複数のアンテナを含み得る。
【００４６】
[0059]  図４は、本開示の様々な態様による、Ｄ２Ｄ通信において使用するためのＵＥ１１５−ｃのブロック図４００を示す。ＵＥ１１５−ｃは、図１および／または図３に関して説明したＵＥ１１５の１またはそれ以上の態様の一例であり得る。ＵＥ１１５−ｃは、受信機３０５−ａ、Ｄ２Ｄ管理モジュール３１０−ａ、および／または送信機３１５−ａを含み得る。ＵＥ１１５−ｃは、また、プロセッサを含み得る。これらのコンポーネントの各々は、互いに通信し得る。Ｄ２Ｄ管理モジュール３１０−ａは、また、ＳＡ送信モジュール４０５とデータ送信モジュール４１０とを含み得る。
【００４７】
[0060]  ＵＥ１１５−ｃのコンポーネントは、個々にまたは集合的に、ハードウェアにおいて利用可能な機能の一部またはすべてを実施するように適合された１またはそれ以上のＡＳＩＣにより実装され得る。代替的に、それらの機能は、１またはそれ以上の集積回路上の１またはそれ以上の他の処理ユニット（またはコア）によって実施され得る。他の実施例では、当該技術分野において知られている任意の方法でプログラムされ得る、他のタイプの集積回路が使用され得る（例えば、構造化／プラットフォームＡＳＩＣ、ＦＰＧＡ、および他のセミカスタムＩＣ）。各ユニットの機能は、また、全体的にまたは部分的に、１またはそれ以上の汎用または特定用途向けプロセッサによって実行されるようにフォーマットされた、メモリに組み込まれた命令によって、実装され得る。
【００４８】
[0061]  受信機３０５−ａは、Ｄ２Ｄ管理モジュール３１０−ａに、および図３に関して前述したようなＵＥ１１５−ｃの他のコンポーネントに引き渡され得る情報を受信し得る。Ｄ２Ｄ管理モジュール３１０−ａは、図３に関して前述した動作を実施するように構成され得る。送信機３１５−ａは、ＵＥ１１５−ｃの他のコンポーネントから受信された１またはそれ以上の信号を送信し得る。例えば、ＵＥ１１５−ｃがＤ２Ｄ送信デバイスである場合、それは、１またはそれ以上の受信ＵＥにＤ２Ｄ通信を使用してＳＡおよびデータ送信を送信し得る。
【００４９】
[0062]  ＳＡ送信モジュール４０５は、（図１の）基地局１０５からの（１またはそれ以上の）グラントにおいて提供された情報に基づいて、図２に関して前述したのと同様の方法で、ＳＡ送信において使用するためのＳＡリソースプールからのＳＡおよびリソースを決定するように構成され得る。ＳＡ送信モジュール４０５は、また、図２に関して前述したのと同様の方法で、ＳＡ再送信パターンを決定するように構成され得る。同様に、データ送信モジュール４１０は、Ｄ２Ｄデータ送信のためのデータリソースを決定し、使用するように構成され得る。ＳＡ送信モジュール４０５およびデータ送信モジュール４１０は、単独で、またはＤ２Ｄ管理モジュール３１０−ａとの組合せで、それぞれ、Ｄ２Ｄ通信を介してＳＡを送信するための手段、およびＤ２Ｄ通信を介してデータを送信するための手段であり得る。
【００５０】
[0063]  図５は、本開示の様々な態様による、Ｄ２Ｄ通信において使用するためのＵＥ１１５−ｄのブロック図５００を示す。ＵＥ１１５−ｄは、図１、図３、および／または図４に関して説明したＵＥ１１５の１またはそれ以上の態様の一例であり得る。ＵＥ１１５−ｄは、受信機３０５−ｂ、Ｄ２Ｄ管理モジュール３１０−ｂ、および／または送信機３１５−ｂを含み得る。ＵＥ１１５−ｄは、また、プロセッサを含み得る。これらのコンポーネントの各々は、互いに通信し得る。Ｄ２Ｄ管理モジュール３１０−ｂは、また、デスクランブリングモジュール５０５とグラント決定モジュール５１０とを含み得る。
【００５１】
[0064]  ＵＥ１１５−ｄのコンポーネントは、個々にまたは集合的に、ハードウェアにおいて利用可能な機能の一部またはすべてを実施するように適合された１またはそれ以上のＡＳＩＣにより実装され得る。代替的に、それらの機能は、１またはそれ以上の集積回路上の１またはそれ以上の他の処理ユニット（またはコア）によって実施され得る。他の実施例では、当該技術分野において知られている任意の方法でプログラムされ得る、他のタイプの集積回路が使用され得る（例えば、構造化／プラットフォームＡＳＩＣ、ＦＰＧＡ、および他のセミカスタムＩＣ）。各ユニットの機能は、また、全体的にまたは部分的に、１またはそれ以上の汎用または特定用途向けプロセッサによって実行されるようにフォーマットされた、メモリに組み込まれた命令によって、実装され得る。
【００５２】
[0065]  受信機３０５−ｂは、この実施例では、Ｄ２Ｄ管理モジュール３１０−ｂおよびＵＥ１１５−ｄの他のコンポーネントに引き渡され得る、ＳＡリソースプールを示す基地局からの情報を受信し得る。Ｄ２Ｄ管理モジュール３１０−ｂは、また、図３および／または図４に関して前述した動作を実施するように構成され得る。送信機３１５−ｂは、ＵＥ１１５−ｄの他のコンポーネントから受信された１またはそれ以上の信号を送信し得る。例えば、ＵＥ１１５−ｄがＤ２Ｄ送信デバイスである場合、それは、１またはそれ以上の受信ＵＥにＤ２Ｄ通信を使用してＳＡおよびデータ送信を送信し得る。
【００５３】
[0066]  デスクランブリングモジュール５０５は、基地局によってスクランブルされていることのある（１またはそれ以上の）グラントをデスクランブルするように構成され得る。ＵＥ１１５−ｄは、スクランブリング／デスクランブリングタイプまたは技法に従って（１またはそれ以上の）グラントをデスクランブルし得る。スクランブリング／デスクランブリングタイプは、特定のグラント（例えば、ＳＡおよび／またはデータリソース）がＤ２Ｄ通信に割り当てられることを示し得る。スクランブリング／デスクランブリングタイプは、例えば、Ｄ２Ｄ無線ネットワーク一時識別子（ＲＮＴＩ）であり得る。スクランブリング／デスクランブリングタイプは、また、リソースがＤ２Ｄ通信に半持続的に割り当てられたこと（例えば、マルチプルな使用または定期的な使用）を示す、半持続的スケジューリング（ＳＰＳ）Ｄ２Ｄ  ＲＮＴＩであり得る。デスクランブリングは、（１またはそれ以上の）グラント全体をデスクランブルする代わりに、巡回冗長検査（ＣＲＣ）をデスクランブルすることを含み得る。デスクランブリングモジュール５０５は、ＵＥ１１５−ｄを対象とする（１またはそれ以上の）グラントをデスクランブルする１またはそれ以上のコードを有し得る。デスクランブリングモジュール５０５は、単独で、またはＤ２Ｄ管理モジュール３１０−ｂとの組合せで、スクランブリングタイプに従って少なくとも１つのグラントをデスクランブルするための手段、ならびに少なくとも１つのグラントがＤ２Ｄ通信のためのものであることを決定するための手段であり得る。
【００５４】
[0067]  グラント決定モジュール５１０は、デスクランブリングモジュール５０５によってデスクランブルされた（１またはそれ以上の）グラントに含まれる様々な情報を決定するように構成され得る。例えば、グラント決定モジュール５１０は、デスクランブルされた（１またはそれ以上の）グラントから（１またはそれ以上の）ＳＡリソースを決定し、次いで、決定された（１またはそれ以上の）ＳＡリソースに少なくとも部分的に基づいて（１またはそれ以上の）データリソースを決定し得る。第１のグラントが（１またはそれ以上の）ＳＡリソースについて受信され、第２のグラントが（１またはそれ以上の）データリソースについて受信されるときには、グラント決定モジュール５１０は、２つの送信を区別するインジケータに基づいて受信されたグラントのタイプを決定し得る。代替的に、グラント決定モジュール５１０は、第１のグラントが送信された時間期間と第２のグラントが送信された異なる時間期間とにしたがって受信されたグラントのタイプを決定し得る。代替的に、グラント決定モジュール５１０は、どのタイプのグラントが受信されたかを示すＤＣＩフラグを再解釈することによって、受信されたグラントのタイプを決定し得る。例えば、ＤＣＩフォーマット０が第１および第２のグラントを送信するために基地局によって使用されるときには、フォーマット０についてのＤＣＩ０フラグは、ＳＡリソースグラントを示し得、フォーマット１ＡについてのＤＣＩ０フラグは、データリソースグラントを示し得る。フラグのインジケーションは、たとえば、ＵＥ１１５−ｄがフラグを解釈できるようにするために、ＲＲＣメッセージを介してＵＥ１１５−ｄにシグナリングされ得る。グラント決定モジュール５１０は、単独で、またはＤ２Ｄ管理モジュール３１０−ｂとの組合せで、Ｄ２Ｄ通信のためのリソースを識別するための手段、インジケータを解析するための手段、および／またはＤ２Ｄ通信のための他の情報を決定するための手段であり得る。
【００５５】
[0068]  図６は、本開示の様々な態様による、ＳＡおよびデータ送信を送信および／または受信するためのＵＥ１１５−ｅのブロック図６００を示す。ＵＥ１１５−ｅは、図１、図３、図４、および／または図５に関して説明したＵＥ１１５の１またはそれ以上の態様の一例であり得る。ＵＥ１１５−ｅは、受信機３０５−ｃ、Ｄ２Ｄ管理モジュール３１０−ｃ、および／または送信機３１５−ｃを含み得る。ＵＥ１１５−ｅは、また、プロセッサを含み得る。これらのコンポーネントの各々は、互いに通信し得る。Ｄ２Ｄ管理モジュール３１０−ｃは、また、ＭＣＳ／ＲＶ決定モジュール６０５、周波数ホッピング決定モジュール６１０、オフセットおよびタイミング決定モジュール６１５、ターゲットＩＤモジュール６２０、および送信電力決定モジュール６２５を含み得る。
【００５６】
[0069]  ＵＥ１１５−ｅのコンポーネントは、個々にまたは集合的に、ハードウェアにおいて利用可能な機能の一部またはすべてを実施するように適合された１またはそれ以上のＡＳＩＣにより実装され得る。代替的に、それらの機能は、１またはそれ以上の集積回路上の１またはそれ以上の他の処理ユニット（またはコア）によって実施され得る。他の実施例では、当該技術分野において知られている任意の方法でプログラムされ得る、他のタイプの集積回路が使用され得る（例えば、構造化／プラットフォームＡＳＩＣ、ＦＰＧＡ、および他のセミカスタムＩＣ）。各ユニットの機能は、また、全体的にまたは部分的に、１またはそれ以上の汎用または特定用途向けプロセッサによって実行されるようにフォーマットされた、メモリに組み込まれた命令によって、実装され得る。
【００５７】
[0070]  受信機３０５−ｃは、Ｄ２Ｄ管理モジュール３１０−ｃに、ならびに図３、図４、および／または図５に関して前述したようなＵＥ１１５−ｅの他のコンポーネントに引き渡され得る情報を受信し得る。Ｄ２Ｄ管理モジュール３１０−ｃは、図３、図４、および／または図５に関して前述した動作を実施するように構成され得る。送信機３１５−ｃは、ＵＥ１１５−ｅの他のコンポーネントから受信された１またはそれ以上の信号を送信し得る。例えば、ＵＥ１１５−ｅがＤ２Ｄ送信デバイスである場合、それは、１またはそれ以上の受信ＵＥにＤ２Ｄ通信を使用してＳＡおよびデータ送信を送信し得る。
【００５８】
[0071]  ＭＣＳ／ＲＶ決定モジュール６０５は、（１またはそれ以上の）グラントに従ってＳＡおよび／またはデータの送信のためのＭＣＳおよび／またはＲＶを決定するように構成され得る。周波数ホッピング決定モジュール６１０は、例えば図２に関して前述したのと同様の方法で、（１またはそれ以上の）グラントに従ってＳＡ再送信周波数ホッピングパターンを決定するように構成され得る。オフセットおよびタイミング決定モジュール６１５は、例えば図２に関して前述したのと同様の方法で、（１またはそれ以上の）グラントに従って、ＳＡ送信、ＳＡ再送信、およびデータ送信タイミングを決定するように構成され得る。ターゲットＩＤモジュール６２０は、例えば図２に関して前述したのと同様の方法で、ターゲットＩＤを決定し、必要であればターゲットＩＤを圧縮し、（１またはそれ以上の）グラントに従ってターゲットＩＤに基づいてデータ送信をスクランブルするように構成され得る。ターゲットＩＤモジュール６２０は、また、ＳＡにおいて受信された情報に基づいてＵＥ１１５−ｅにおいて受信された、スクランブルされたデータ送信を復号するように構成され得る。送信電力決定モジュール６２５は、前述したように（１またはそれ以上の）ＴＰＣビットに基づいてなど、（１またはそれ以上の）グラントに従ってＤ２Ｄ通信のためのＳＡ送信電力および／またはデータ送信電力を決定するように構成され得る。前述のモジュール６０５〜６２５は、単独で、またはＤ２Ｄ管理モジュール３１０−ｃとの組合せで、図１の基地局１０５から受信された（１またはそれ以上の）グラントからそれぞれのタイプの情報を決定するための手段であり得る。
【００５９】
[0072]  図７は、本開示の様々な態様による、Ｄ２Ｄ通信において使用するために構成されたシステム７００のブロック図を示す。システム７００は、図１、図３、図４、図５、および／または図６に関するＵＥ１１５の一例であり得る、ＵＥ１１５−ｆを含み得る。ＵＥ１１５−ｆは、一般に、通信を送信するためのコンポーネントと、通信を受信するためのコンポーネントとを含む、双方向の音声およびデータ通信のためのコンポーネントを含み得る。
【００６０】
[0073]  ＵＥ１１５−ｆは、（１またはそれ以上の）アンテナ７４０、トランシーバモジュール７３５、プロセッサモジュール７０５、およびメモリ７１５（ソフトウェア（ＳＷ）７２０を含む）を含み得、これらの各々が、互いに直接的にまたは間接的に（例えば１またはそれ以上のバス７４５を介して）通信し得る。トランシーバモジュール７３５は、前述したように、（１またはそれ以上の）アンテナ７４０および／または１またはそれ以上のワイヤードまたはワイヤレスリンクを介して、１またはそれ以上のネットワークと双方向に通信するように構成され得る。例えば、トランシーバモジュール７３５は、基地局１０５−ａと双方向に通信するように構成され得る。トランシーバモジュール７３５は、パケットを変調し、変調されたパケットを送信のために（１またはそれ以上の）アンテナ７４０に提供するように、そして（１またはそれ以上の）アンテナ７４０から受信されたパケットを復調するように構成されたモデムを含み得る。ＵＥ１１５−ｆは、単一のアンテナ７４０を含むこともあるが、ＵＥ１１５−ｆは、また、マルチプルなワイヤレス送信を同時に送信および／または受信することが可能な、マルチプルなアンテナ７４０を有し得る。トランシーバモジュール７３５は、また、１またはそれ以上の基地局１０５と同時に通信することが可能であり得る。基地局通信モジュール７２５は、１またはそれ以上の基地局とのこのような通信に関係する動作を実施し得る。
【００６１】
[0074]  メモリ７１５は、ランダムアクセスメモリ（ＲＡＭ）およびリードオンリーメモリ（ＲＯＭ）を含み得る。メモリ７１５は、実行されたときにプロセッサモジュール７０５に本明細書に記載の様々な機能（例えば、呼処理、データベース管理、キャリアモードインジケータの処理、モジュール管理など）を実施させるように構成された命令を含む、コンピュータ可読のコンピュータ実行可能なソフトウェア／ファームウェアコード７２０を記憶し得る。代替的に、ソフトウェア／ファームウェアコード７２０は、プロセッサモジュール７０５によって直接的に実行可能ではないが、本明細書に記載の機能をコンピュータに（例えば、コンパイルされ実行されたときに）実施させるように構成されることもあり得る。プロセッサモジュール７０５は、インテリジェントハードウェアデバイス、例えば、中央処理装置（ＣＰＵ）、マイクロコントローラ、ＡＳＩＣなど、を含み得る。
【００６２】
[0075]  ＵＥ１１５−ｆは、また、ＵＥ  Ｄ２Ｄ管理モジュール７１０を含み得る。ＵＥ  Ｄ２Ｄ管理モジュール７１０は、ＳＡを決定し、１またはそれ以上のデータ送信を決定し、図２に関して前述したようなＳＡおよびデータ送信に関係する動作を実施するように構成され得る。ＵＥ１１５−ｆがＤ２Ｄ送信デバイスである場合、例えば、（１またはそれ以上の）ＳＡは、受信ＵＥ１１５−ｇについて決定され、ＳＡリソースプールからのリソースが（１またはそれ以上の）ＳＡの送信のために決定され得る。さらに、ＵＥ  Ｄ２Ｄ管理モジュール７１０は、ＳＡ再送信のためのタイミングパターンおよび周波数ホッピングパターンのうちの一方または両方を含み得る、（１またはそれ以上の）ＳＡの再送信のための再送信パターンを決定し得る。ＵＥ１１５−ｆがＤ２Ｄ受信デバイスである場合、ＵＥ  Ｄ２Ｄ管理モジュール７１０は、ＳＡリソースを監視し、ＳＡ送信および／または再送信が受信されるかどうかを決定し得る。（１またはそれ以上の）ＳＡ送信のために使用されたＳＡリソースプールからのリソースに基づいて、ＵＥ  Ｄ２Ｄ管理モジュール７１０は、タイミングパターンおよび周波数ホッピングパターンの一方または両方を含み得る、データ送信のために使用されるべきＳＡ再送信パターンおよびリソースを決定し得る。さらに、ＵＥ  Ｄ２Ｄ管理モジュール７１０は、例えば、基地局１０５−ａから受信された（１またはそれ以上の）グラントに関係する動作を実施するように構成され得る。したがって、ＵＥ  Ｄ２Ｄ管理モジュール７１０は、図３、図４、図５、および／または図６に関して前述した様々な機能を行うための動作を実施するように構成され得る。
【００６３】
[0076]  図８は、本開示の様々な態様による、グラントの送信を含む、Ｄ２Ｄ通信を受信および送信する際に使用するために構成され得る通信システム８００のブロック図を示す。システム８００は、図１および／または図７にそれぞれ記載されたシステム１００および／または７００の態様の一例であり得る。システム８００は、基地局１０５−ｂを含み得る。基地局１０５−ｂは、（１またはそれ以上の）基地局アンテナ８４５、基地局トランシーバモジュール８５０、基地局メモリ８８０、および基地局プロセッサモジュール８７０を含み得、これら各々は互いに直接的または間接的に（例えば１またはそれ以上のバスを通じて）通信し得る。基地局トランシーバモジュール８５０は、図１、図３、図４、図５、図６、および／または図７のＵＥ１１５の一例であり得るＵＥ１１５−ｈと、（１またはそれ以上の）基地局アンテナ８４５を介して、双方向に通信するように構成され得る。基地局トランシーバモジュール８５０（および／または基地局１０５−ｂの他のコンポーネント）は、また、１またはそれ以上のネットワークと双方向に通信するように構成され得る。いくつかのケースでは、基地局１０５−ｂは、ネットワーク通信モジュール８７５を通じてコアネットワーク１３０−ａおよび／またはコントローラ８３０と通信し得る。基地局１０５−ｂは、図１の基地局１０５の一例であり得る。コントローラ８３０は、いくつかのケースでは、ｅＮｏｄｅＢ基地局など、基地局１０５−ｂに組み込まれ得る。
【００６４】
[0077]  基地局１０５−ｂは、また、基地局１０５−ｍおよび基地局１０５−ｎなどの他の基地局１０５と通信し得る。基地局１０５の各々が、異なる無線アクセス技術のような異なるワイヤレス通信技術を使用してＵＥ１１５−ｈと通信し得る。いくつかのケースでは、基地局１０５−ｂは、基地局通信モジュール８６５を用いる１０５−ｍおよび／または１０５−ｎなどの他の基地局と通信し得る。いくつかの例では、基地局通信モジュール８６５は、基地局１０５のうちのいくつかの間の通信をもたらすために、ＬＴＥワイヤレス通信技術内のＸ２インタフェースを提供し得る。いくつかの例では、基地局１０５−ｂは、コントローラ８３０および／またはコアネットワーク１３０−ａを通じて他の基地局と通信し得る。
【００６５】
[0078]  基地局メモリ８８０は、ＲＡＭおよびＲＯＭを含み得る。基地局メモリ８８０は、また、実行されたときに基地局プロセッサモジュール８７０に本明細書に記載の様々な機能（たとえば、Ｄ２Ｄ通信を受信および送信する、リソースグラント、タイミング情報、およびＤ２Ｄ通信のための他の情報を提供する）を実施させるように構成された命令を含む、コンピュータ可読のコンピュータ実行可能なソフトウェアコード８８５を記憶し得る。代替的に、ソフトウェアコード８８５は、基地局プロセッサモジュール８７０によって直接的に実行可能ではないが、例えば、コンパイルされ実行されたときに、本明細書に記載の機能をコンピュータに実施させるように構成されることもあり得る。基地局プロセッサモジュール８７０は、インテリジェントハードウェアデバイス、例えば、ＣＰＵ、マイクロコントローラ、ＡＳＩＣなど、を含み得る。
【００６６】
[0079]  基地局トランシーバモジュール８５０は、パケットを変調し、変調されたパケットを送信のために（１またはそれ以上の）基地局アンテナ８４５に提供するように、そして（１またはそれ以上の）基地局アンテナ８４５から受信されたパケットを復調するように構成された、モデムを含み得る。基地局１０５−ｂのいくつかの例は単一の基地局アンテナ８４５を含み得るが、基地局１０５−ｂは、キャリアアグリゲーションをサポートし得るマルチプルなリンクのためのマルチプルな基地局アンテナ８４５を含み得る。例えば、１またはそれ以上のリンクがＵＥ１１５−ｈとのマクロ通信をサポートするために使用され得る。
【００６７】
[0080]  図８のアーキテクチャによれば、基地局１０５−ｂは、通信管理モジュール８６０をさらに含み得る。通信管理モジュール８６０は、他の基地局１０５との通信を管理し得る。一例として、通信管理モジュール８６０は、前述したようなＤ２Ｄ送信デバイスへのグラントなどのＤ２Ｄ情報の送信を容易にし得る。一例として、通信管理モジュール８６０は、バスを介して基地局１０５−ｂの他のコンポーネントの一部またはすべてと通信する基地局１０５−ｂのコンポーネントであり得る。代替的に、通信管理モジュール８６０の機能は、基地局トランシーバモジュール８５０のコンポーネントとして、コンピュータプログラム製品として、および／または基地局プロセッサモジュール８７０の１またはそれ以上のコントローラ要素として、実装され得る。
【００６８】
[0081]  基地局１０５−ｂのためのコンポーネントは、図２、図３、図４、図５、図６、および／または図７に関して前述した態様を実装するように構成されることができ、これらについては簡潔のためここでは繰り返さない。例えば、基地局１０５−ｂは、基地局Ｄ２Ｄ管理モジュール８１０を含み得る。基地局Ｄ２Ｄ管理モジュール８１０は、Ｄ２Ｄ  ＳＡリソースモジュール８１５、Ｄ２Ｄデータリソースモジュール８２０、およびスクランブリングモジュール８２５を含み得、それらの各々が、図１、図２、図３、図４、図５、図６、および／または図７に関して記載した基地局関連特徴または機能の一部またはすべてを実施または制御するように構成され得る。基地局Ｄ２Ｄ管理モジュール８１０またはその一部は、プロセッサを含み得、あるいは、基地局Ｄ２Ｄ管理モジュール８１０の機能の一部またはすべては、基地局プロセッサモジュール８７０によって、または基地局プロセッサモジュール８７０に関連して実施され得る。さらに、基地局Ｄ２Ｄ管理モジュール８１０またはその一部は、メモリを含み得、あるいは基地局Ｄ２Ｄ管理モジュール８１０の機能の一部またはすべてが、基地局メモリ８８０を使用し得、または基地局メモリ８８０に関連して使用され得る。さらに、基地局Ｄ２Ｄ管理モジュール８１０は、前述したようなＤ２Ｄ送信デバイスへのグラントなど、Ｄ２Ｄ情報の送信を容易にするために、通信管理モジュール８６０と関連して、またはその制御下で、動作し得る。
【００６９】
[0082]  図９は、本開示の様々な態様による、Ｄ２Ｄ通信などのワイヤレス通信のための方法９００を示すフローチャートである。方法９００の機能は、図１、図３、図４、図６、図７、および／または図８に関して記載したような基地局１０５またはそのコンポーネントなどのシステムデバイスによって実装され得る。いくつかの例では、基地局１０５のうちの１つなどのシステムデバイスは、以下で説明する機能を実施するようにデバイスの機能的要素を制御するコードの１またはそれ以上のセットを実行し得る。
【００７０】
[0083]  ブロック９０５において、少なくとも１つのグラントが、ＵＥ１１５のうちの１つまたはそれ以上など、１つまたはそれ以上のデバイスに送信される。少なくとも１つのグラントは、Ｄ２Ｄ通信のためにデバイスによってＳＡがそれにおいて送信されるべき１またはそれ以上のＳＡリソースを識別し、Ｄ２Ｄ通信のためにデバイスによってデータがそれにおいて送信されるべき１またはそれ以上のデータリソースを識別し得る。例えば、少なくとも１つのグラントは、ＰＤＣＣＨもしくはＰＤＳＣＨ、またはそれらの組合せを介して送信され得る。少なくとも１つのグラントは、例えば、ＤＣＩフォーマット０を使用して、ＤＣＩに含められ得る。ブロック９０５における動作は、図８に関して説明した基地局Ｄ２Ｄ管理モジュール８１０および基地局トランシーバモジュール８５０を使用して実施され得る。
【００７１】
[0084]  方法９００が単なる一実装形態にすぎず、該方法の動作が、他の実装形態が可能なように再配列され、あるいは何らかの形で修正され得ることに留意すべきである。
【００７２】
[0085]  図１０は、本開示の様々な態様による、Ｄ２Ｄ通信などのワイヤレス通信のための別の方法１０００を例示するフローチャートを示す。方法１０００の機能は、図１、図３、図４、図６、図７、および／または図８に関して記載された基地局１０５またはそのコンポーネントなどのシステムデバイスによって実装され得る。いくつかの例では、基地局１０５のうちの１つなどのシステムデバイスは、以下で説明する機能を実施するようにデバイスの機能的要素を制御するコードの１またはそれ以上のセットを実行し得る。
【００７３】
[0086]  ブロック１００５において、単一のグラントがスクランブルされる。単一のグラントは、対象とするＵＥ１１５が単一のグラントをデスクランブルし、該グラントをＤ２Ｄ通信のためのものであると識別し得るように、前述したようなスクランブリングタイプに従ってスクランブルされ得る。単一のグラントは、１またはそれ以上のＳＡリソースを識別し得、１またはそれ以上のデータリソースを識別し得る。前述のように、（１またはそれ以上の）データリソースは、例えば、識別された（１またはそれ以上の）ＳＡリソースに基づいて単一のグラントによって暗黙的に識別され得る。ブロック１０１０において、単一のグラントは、１またはそれ以上のデバイス、例えば、ＵＥ１１５に送信される。ブロック１００５における動作は、図８に関して説明したスクランブリングモジュール８２５を使用して実施され得、ブロック１０１０における動作は、図８に関して説明した送信機３１５および基地局トランシーバモジュール８５０を使用して実施され得る。
【００７４】
[0087]  方法１０００が単なる一実装形態にすぎず、該方法の動作およびステップが、他の実装形態が可能なように再配列され、あるいは何らかの形で修正され得ることに留意すべきである。
【００７５】
[0088]  図１１は、本開示の様々な態様による、Ｄ２Ｄ通信などのワイヤレス通信のための別の方法１１００を例示するフローチャートを示す。方法１１００の機能は、図１、図３、図４、図６、図７、および／または図８に関して説明した基地局１０５またはそのコンポーネントなどのシステムデバイスによって実装され得る。いくつかの例では、基地局１０５のうちの１つなどのシステムデバイスは、以下で説明する機能を実施するようにデバイスの機能的要素を制御するコードの１またはそれ以上のセットを実行し得る。
【００７６】
[0089]  ブロック１１０５において、第１のグラントについてのインジケータがセットされ得る。インジケータは、第１のグラントがＤ２Ｄ通信のための１またはそれ以上のＳＡリソースのグラントであることを示し得る。次に、ブロック１１１０において、第１のグラントがスクランブルされ得る。次いで、ブロック１１１５において、第１のグラントが、１またはそれ以上のデバイス、例えば、ＵＥ１１５に送信され得る。ブロック１１０５における動作は、図８に関して説明したＳＡリソースモジュール８１５を使用して実施され、ブロック１１１０における動作は、図８に関して説明したスクランブリングモジュール８２５を使用して実施され、ブロック１１１５における動作は、図８に関して説明した基地局トランシーバモジュール８５０を使用して実施され得る。
【００７７】
[0090]  ブロック１１２０において、第１のグラントについてセットされたインジケータとは異なる、第２のグラントについてのインジケータがセットされ得る。インジケータは、第２のグラントがＤ２Ｄ通信のための１またはそれ以上のデータリソースのグラントであることを示し得る。次に、ブロック１１２５において、第２のグラントはスクランブルされ得る。次いで、ブロック１１３０において、第２のグラントは、１またはそれ以上のデバイス、例えば、ＵＥ１１５に、送信され得る。前述したように、第２のグラントは、第１のグラントが送信された時間期間とは異なる時間期間において送信され得る。さらに、第２のグラントは、第１のグラントが送信された時間期間に少なくとも部分的に基づく時間期間において送信され得る。これにより、受信ＵＥ１１５は、第２のグラントが第１のグラントに関係することを識別し、Ｄ２Ｄ通信のために（１またはそれ以上の）ＳＡリソースおよび（１またはそれ以上の）データリソースを使用するために、第１および第２のグラントを関連づけることができるようになる。ブロック１１２０における動作は、図８に関して説明したＳＡリソースモジュール８１５を使用して実施され得、ブロック１１２５における動作は、図８に関して説明したスクランブリングモジュール８２５を使用して実施され得、ブロック１１３０における動作は、図８に関して説明した基地局トランシーバモジュール８５０を使用して実施され得る。
【００７８】
[0091]  方法１１００が単なる一実装形態にすぎず、該方法の動作およびステップが、他の実装形態が可能なように再配列され、あるいは何らかの形で修正され得ることに留意すべきである。
【００７９】
[0092]  図１２は、本開示の様々な態様による、Ｄ２Ｄ通信などのワイヤレス通信のための方法１２００を例示するフローチャートを示す。方法１２００の機能は、図１、図３、図４、図６、図７、および／または図８に関して記載したＵＥ１１５またはそのコンポーネントなどのデバイスによって実装され得る。いくつかの例では、ＵＥ１１５のうちの１つなどのデバイスは、以下で説明する機能を実施するようにデバイスの機能的要素を制御するコードの１またはそれ以上のセットを実行し得る。
【００８０】
[0093]  ブロック１２０５において、少なくとも１つのグラントが基地局１０５から受信される。少なくとも１つのグラントは、Ｄ２Ｄ通信のためにデバイスによってＳＡがそれにおいて送信されるべき１またはそれ以上のＳＡリソースを識別し、Ｄ２Ｄ通信のためにデバイスによってデータがそれにおいて送信されるべき１またはそれ以上のデータリソースを識別し得る。例えば、少なくとも１つのグラントは、ＰＤＣＣＨもしくはＰＤＳＣＨ、またはそれらの組合せを介して受信され得る。少なくとも１つのグラントは、例えば、ＤＣＩフォーマット０を使用して、ＤＣＩに含められ得る。ブロック１２０５での動作は、図３、図４、図５、および／または図５に関して説明した受信機３０５を使用して実施され得る。
【００８１】
[0094]  方法１２００が単なる一実装形態にすぎず、該方法の動作が、他の実装形態が可能なように再配列され、あるいは何らかの形で修正され得ることに留意すべきである。
【００８２】
[0095]  図１３は、本開示の様々な態様による、Ｄ２Ｄ通信などのワイヤレス通信のための別の方法１３００を例示するフローチャートを示す。方法１３００の機能は、図１、図３、図４、図６、図７、および／または図８に関して説明したＵＥ１１５またはそのコンポーネントなどのデバイスによって実装され得る。いくつかの実施例では、ＵＥ１１５のうちの１つなどのデバイスが、以下で説明する機能を実施するようにデバイスの機能的要素を制御するコードの１またはそれ以上のセットを実行し得る。
【００８３】
[0096]  ブロック１３０５において、単一のグラントが受信される。単一のグラントは、図５に関して前述したようなスクランブリングタイプに従ってスクランブルされ得る。単一のグラントがＵＥ１１５を対象とする（intended for）場合、ＵＥ１１５は、ブロック１３１０において単一のグラントをデスクランブルし得る。単一のグラントは、１またはそれ以上のＳＡリソースを識別し得、１またはそれ以上のデータリソースを識別し得る。前述したように、（１またはそれ以上の）データリソースは、例えば、識別された（１またはそれ以上の）ＳＡリソースに基づいて単一のグラントによって暗黙的に識別され得る。ブロック１３０５における動作は、図３、図４、図５、および／または図５に関して説明した受信機３０５を使用して実施され得、ブロック１３１０における動作は、図５に関して記載したデスクランブリングモジュール５０５を使用して実施され得る。
【００８４】
[0097]  方法１３００が単なる一実装形態にすぎず、該方法の動作およびステップが、他の実装形態が可能なように再配列され、あるいは何らかの形で修正され得ることに留意すべきである。
【００８５】
[0098]  図１４は、本開示の様々な態様による、Ｄ２Ｄ通信などのワイヤレス通信のための他の方法１４００を例示するフローチャートを示す。方法１４００の機能は、図１、図３、図４、図６、図７、および／または図８に関して説明したＵＥ１１５またはそのコンポーネントなどのデバイスによって実装され得る。いくつかの例では、ＵＥ１１５のうちの１つなどのデバイスは、以下で説明する機能を実施するようにデバイスの機能的要素を制御するコードの１またはそれ以上のセットを実行し得る。
【００８６】
[0099]  ブロック１４０５において、第１のグラントがＤ２Ｄ通信のために（１またはそれ以上の）ＳＡリソースに関して受信され得る。第１のグラントがＵＥ１１５を対象とする場合、ＵＥ１１５は、ブロック１４１０において第１のグラントをデスクランブルし得る。ブロック１４０５における動作は、図３、図４、図５、および／または図５に関して説明した受信機３０５を使用して実施され得、ブロック１４１０における動作は、図５に関して説明したデスクランブリングモジュール５０５を使用して実施され得る。ＵＥ１１５は、次いで、ブロック１４１５において、第１のグラントが、Ｄ２Ｄ通信のための１またはそれ以上のＳＡリソースのグラントであるかあるいは１またはそれ以上のデータリソースのグラントであるかを決定するために、第１のグラントとともに含められたインジケータを解析し得、これは、この例ではＳＡリソースに関するものである。ブロック１４１５における動作は、図５に関して説明したグラント決定モジュール５１０を使用して実施され得る。
【００８７】
[0100]  ブロック１４２０において、第２のグラントがＤ２Ｄのために（１またはそれ以上の）データリソースに関して受信され得る。第２のグラントがＵＥ１１５を対象とする場合、ＵＥ１１５は、ブロック１４２５において第２のグラントをデスクランブルし得る。ブロック１４２０における動作は、図３、図４、図５、および／または図５に関して説明した受信機３０５を使用して実施され得、ブロック１４２５における動作は、図５に関して説明したデスクランブリングモジュール５０５を使用して実施され得る。ＵＥ１１５は、次いで、ブロック１４３０において、第２のグラントが、Ｄ２Ｄ通信のための１またはそれ以上のＳＡリソースのグラントであるかあるいは１またはそれ以上のデータリソースのグラントであるかを決定するために、第２のグラントとともに含められたインジケータを解析し得、これは、この例ではデータリソースに関するものである。前述のように、第１および第２のグラントは、第１および第２のグラントが送信された時間期間に基づいて関係しているものとして識別され得る。ブロック１４３０における動作は、図５に関して説明したグラント決定モジュール５１０を使用して実施され得る。
【００８８】
[0101]  方法１４００が単なる一実装形態にすぎず、該方法の動作およびステップが、他の実装形態が可能なように再配列され、あるいは何らかの形で修正され得ることに留意すべきである。
【００８９】
[0102]  添付の図面に関して上記に記載した詳細な説明は、実施例を説明するものであり、実装され得るまたは特許請求の範囲内に入る唯一の例を表すものではない。本明細書で使用するとき、「例」または「例示的な」という用語は、「例、事例、または例示の働きをすること」を意味し、「好ましい」または「他の例よりも有利である」ことを意味するものではない。詳細な説明は、説明した技法の理解を提供する目的で、具体的な詳細を含む。しかしながら、これらの技法は、これらの具体的な詳細なしに実践され得る。いくつかの事例では、説明した例の概念を不明瞭にしないために、よく知られている構造およびデバイスがブロック図の形態で示されている。
【００９０】
[0103]  本明細書で使用するとき、「デバイス」および「装置」という用語は、交換可能である。
【００９１】
[0104]  情報および信号は、種々の異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【００９２】
[0105]  本明細書の開示に関して説明された様々な例示的なブロックおよびモジュールは、汎用プロセッサ、デジタル信号プロセッサ（ＤＳＰ）、ＡＳＩＣ、ＦＰＧＡもしくは他のプログラマブル論理デバイス、ディスクリートゲートもしくはトランジスタ論理、ディスクリートハードウェアコンポーネント、または本明細書で説明された機能を実行するように設計されたそれらの任意の組合せによって実装または実行され得る。汎用プロセッサは、マイクロプロセッサであり得るが、代替例では、プロセッサは、任意の従来のプロセッサ、コントローラ、マイクロコントローラ、またはステートマシンであり得る。プロセッサはまた、コンピューティングデバイスの組合せ、たとえば、ＤＳＰとマイクロプロセッサ、複数のマイクロプロセッサ、ＤＳＰコアと連携する１またはそれ以上のマイクロプロセッサ、あるいは任意の他のそのような構成の組合せとして実装され得る。
【００９３】
[0106]  本明細書において説明された機能は、ハードウェア、プロセッサによって実行されるソフトウェア、ファームウェア、またはそれらの任意の組合せで実装され得る。プロセッサによって実行されるソフトウェアで実装される場合、機能は、コンピュータ可読媒体上の１またはそれ以上の命令またはコードとして記憶され、またはそれらを介して送信され得る。他の実施例および実装形態は、本開示および添付の特許請求の範囲の趣旨および範囲内にある。たとえば、ソフトウェアの性質により、上記で説明した機能は、プロセッサ、ハードウェア、ファームウェア、ハードワイヤリング、またはこれらのいずれかの組合せによって実行されるソフトウェアを用いて実装され得る。機能を実装する特徴はまた、機能の部分が様々な物理的位置で実装されるように分散されることを含めて、様々な位置に物理的に配置され得る。また、特許請求の範囲を含めて、本明細書で使用する場合、項目の列挙（例えば、「〜のうちの少なくとも１つ」または「〜の１つまたはそれ以上」などの表現によって終わる項目の列挙）中で使用される「または」は、たとえば、「Ａ、Ｂ、またはＣのうちの少なくとも１つ」の列挙がＡまたはＢまたはＣまたはＡＢまたはＡＣまたはＢＣまたはＡＢＣ（すなわち、ＡおよびＢおよびＣ）を意味するような選言的列挙を示す。
【００９４】
[0107]  コンピュータ可読媒体は、ある場所から別の場所へのコンピュータプログラムの移動を容易にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または、命令もしくはデータ構造の形態の所望のプログラムコード手段を搬送もしくは記憶するために使用され得、汎用もしくは専用コンピュータまたは汎用もしくは専用プロセッサによってアクセスされ得る、任意の他の媒体を備えることができる。また、任意の接続が、コンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【００９５】
[0108]  本開示の以上の説明は、当業者が本開示を作製または使用することができるように与えられる。本開示への様々な修正は当業者には容易に明らかとなり、本明細書で定義した一般原理は、本開示の趣旨または範囲から逸脱することなく他の変形形態に適用され得る。本開示全体にわたって、「例」という用語は、一例または一事例を示すものであり、言及された例についての選好を暗示するものではなく、要求するものでもない。したがって、本開示は、本明細書において説明される例および設計に限定されるべきでなく、本明細書において開示される原理および新規の特徴に合致する最も広い範囲を与えられるべきである。
以下に、出願当初の特許請求の範囲に記載された発明を付記する。
［Ｃ１］
ワイヤレス通信の方法であって、
少なくとも１つのグラントをデバイスに送信すること、ここにおいて、前記少なくとも１つのグラントは、デバイス間（Ｄ２Ｄ）通信のために前記デバイスによってスケジューリング割当て（ＳＡ）がそれにおいて送信されるべき１またはそれ以上のＳＡリソースを識別し、前記少なくとも１つのグラントは、Ｄ２Ｄ通信のために前記デバイスによってデータがそれにおいて送信されるべき１またはそれ以上のデータリソースを識別する、
を備える、方法。
［Ｃ２］
スクランブリングタイプに従って前記少なくとも１つのグラントをスクランブルすること、ここにおいて、前記スクランブリングタイプは、前記１またはそれ以上のＳＡリソースと前記１またはそれ以上のデータリソースがＤ２Ｄ通信に割り当てられることを示す、
をさらに備える、上記Ｃ１に記載の方法。
［Ｃ３］
前記スクランブリングタイプは、Ｄ２Ｄ無線ネットワーク一時識別子（ＲＮＴＩ）を備える、上記Ｃ２に記載の方法。
［Ｃ４］
前記スクランブリングタイプは、半持続的なスケジューリング（ＳＰＳ）Ｄ２Ｄ無線ネットワーク一時識別子（ＲＮＴＩ）を備える、上記Ｃ２に記載の方法。
［Ｃ５］
前記スクランブルすることは、前記少なくとも１つのグラントの巡回冗長検査（ＣＲＣ）をスクランブルすることを備える、上記Ｃ２に記載の方法。
［Ｃ６］
前記少なくとも１つのグラントは、単一のグラントを備える、上記Ｃ１に記載の方法。
［Ｃ７］
前記単一のグラントは、前記デバイスが前記ＳＡを送信するために使用すべき前記１またはそれ以上のＳＡリソースを識別し、前記１またはそれ以上のデータリソースは、前記１またはそれ以上のＳＡリソースに少なくとも部分的に基づいて前記デバイスによって識別される、上記Ｃ６に記載の方法。
［Ｃ８］
前記少なくとも１つのグラントは、第１のグラントと第２のグラントとを備え、前記第１のグラントは、前記１またはそれ以上のＳＡリソースを識別し、前記第２のグラントは、前記１またはそれ以上のデータリソースを識別する、上記Ｃ１に記載の方法。
［Ｃ９］
前記送信することは、
第１の時間期間において前記１またはそれ以上のＳＡリソースを識別する前記第１のグラントを送信することと、
第２の時間期間において前記１またはそれ以上のデータリソースを識別する前記第２のグラントを送信することと、ここにおいて、前記第２の時間期間は、前記第１の時間期間とは異なるものであり、前記第２の時間期間は、前記第１の時間期間に少なくとも部分的に基づいて決定される、
を備える、上記Ｃ８に記載の方法。
［Ｃ１０］
前記１またはそれ以上のＳＡリソースを識別する前記第１のグラントの前記送信と、前記１またはそれ以上のデータリソースを識別する前記第２のグラントの前記送信とを区別するために、インジケータをセットすること
をさらに備える、上記Ｃ９に記載の方法。
［Ｃ１１］
前記少なくとも１つのグラントは、ＳＡ送信電力、ＳＡ変調コーディング方式（ＭＣＳ）、ＳＡ冗長バージョン、またはそれらの組合せを備える、上記Ｃ１に記載の方法。
［Ｃ１２］
前記少なくとも１つのグラントは、データ送信電力、データ変調コーディング方式（ＭＣＳ）、データ冗長バージョン、またはそれらの組合せを備える、上記Ｃ１に記載の方法。
［Ｃ１３］
前記少なくとも１つのグラントは、前記ＳＡの宛先デバイスについてのターゲット識別（ＩＤ）を備え、前記ターゲットＩＤは、グループキャストＩＤ、ブロードキャストＩＤ、またはユニキャストＩＤであり、前記ターゲットＩＤは、圧縮された、またはインデックスベースのものである、上記Ｃ１に記載の方法。
［Ｃ１４］
前記少なくとも１つのグラントは、前記１またはそれ以上のデータリソースの時間ホッピングパターン、前記１またはそれ以上のデータリソースの周波数ホッピングパターン、またはそれらの組合せを備える、上記Ｃ１に記載の方法。
［Ｃ１５］
前記少なくとも１つのグラントは、１またはそれ以上の送信電力制御（ＴＰＣ）ビットを含み、前記ＴＰＣビットは、ＳＡ送信電力またはデータ送信電力を示す、上記Ｃ１に記載の方法。
［Ｃ１６］
前記少なくとも１つのグラントは、ロングタームエボリューション（ＬＴＥ）において、物理ダウンリンク制御チャネル（ＰＤＣＣＨ）もしくは物理ダウンリンク共有チャネル（ＰＤＳＣＨ）、またはそれらの組合せを介して送信される、上記Ｃ１に記載の方法。
［Ｃ１７］
前記少なくとも１つのグラントは、ダウンリンク制御情報（ＤＣＩ）に含まれる、上記Ｃ１６に記載の方法。
［Ｃ１８］
前記ＰＤＳＣＨは、Ｄ２Ｄ通信のための前記１またはそれ以上のＳＡリソースと前記１またはそれ以上のデータリソースとの両方に関する情報を含む、上記Ｃ１６に記載の方法。
［Ｃ１９］
前記少なくとも１つのグラントがＤ２Ｄ通信に関係することを示すためにＤ２Ｄ無線ネットワーク一時識別子（ＲＮＴＩ）により前記ＰＤＣＣＨを介して送信された前記少なくとも１つのグラントをスクランブルすること、
をさらに備える、上記Ｃ１６に記載の方法。
［Ｃ２０］
ターゲット識別子（ＩＤ）により前記ＰＤＣＣＨを介して送信された前記少なくとも１つのグラントをスクランブルすること、
をさらに備える、上記Ｃ１６に記載の方法。
［Ｃ２１］
ワイヤレス通信のための装置であって、
少なくとも１つのグラントをデバイスに送信するための手段、ここにおいて、前記少なくとも１つのグラントは、デバイス間（Ｄ２Ｄ）通信のために前記デバイスによってスケジューリング割当て（ＳＡ）がそれにおいて送信されるべき１またはそれ以上のＳＡリソースを識別し、前記少なくとも１つのグラントは、Ｄ２Ｄ通信のために前記デバイスによってデータがそれにおいて送信されるべき１またはそれ以上のデータリソースを識別する、
を備える、装置。
［Ｃ２２］
スクランブリングタイプに従って前記少なくとも１つのグラントをスクランブルするための手段、ここにおいて、前記スクランブリングタイプは、前記１またはそれ以上のＳＡリソースと前記１またはそれ以上のデータリソースがＤ２Ｄ通信に割り当てられることを示す、
をさらに備える、上記Ｃ２１に記載の装置。
［Ｃ２３］
前記スクランブリングタイプは、Ｄ２Ｄ無線ネットワーク一時識別子（ＲＮＴＩ）を備える、上記Ｃ２２に記載の装置。
［Ｃ２４］
前記スクランブリングタイプは、半持続的なスケジューリング（ＳＰＳ）Ｄ２Ｄ無線ネットワーク一時識別子（ＲＮＴＩ）を備える、上記Ｃ２２に記載の装置。
［Ｃ２５］
前記スクランブルするための手段は、前記少なくとも１つのグラントの巡回冗長検査（ＣＲＣ）をスクランブルするように構成される、上記Ｃ２２に記載の装置。
［Ｃ２６］
前記少なくとも１つのグラントは、単一のグラントを備える、上記Ｃ２１に記載の装置。
［Ｃ２７］
前記単一のグラントは、前記デバイスが前記ＳＡを送信するために使用すべき前記１またはそれ以上のＳＡリソースを識別し、前記１またはそれ以上のデータリソースは、前記１またはそれ以上のＳＡリソースに少なくとも部分的に基づいて前記デバイスによって識別される、上記Ｃ２６に記載の装置。
［Ｃ２８］
前記少なくとも１つのグラントは、第１のグラントと第２のグラントとを備え、前記第１のグラントは、前記１またはそれ以上のＳＡリソースを識別し、前記第２のグラントは、前記１またはそれ以上のデータリソースを識別する、上記Ｃ２１に記載の装置。
［Ｃ２９］
前記送信するための手段は、
第１の時間期間において前記１またはそれ以上のＳＡリソースを識別する前記第１のグラントを送信することと、
第２の時間期間において前記１またはそれ以上のデータリソースを識別する前記第２のグラントを送信することと、ここにおいて、前記第２の時間期間は、前記第１の時間期間とは異なるものであり、前記第２の時間期間は、前記第１の時間期間に少なくとも部分的に基づいて決定される、
を行うように構成される、上記Ｃ２８に記載の装置。
［Ｃ３０］
前記１またはそれ以上のＳＡリソースを識別する前記第１のグラントの前記送信と、前記１またはそれ以上のデータリソースを識別する前記第２のグラントの前記送信とを区別するために、インジケータをセットするための手段
をさらに備える、上記Ｃ２９に記載の装置。
［Ｃ３１］
ワイヤレス通信システムで使用するためのデバイスであって、
プロセッサと、
前記プロセッサと電子通信するメモリと、
前記メモリに記憶されている命令と、を備え、前記命令は、
少なくとも１つのグラントをデバイスに送信すること、ここにおいて、前記少なくとも１つのグラントは、デバイス間（Ｄ２Ｄ）通信のために前記デバイスによってスケジューリング割当て（ＳＡ）がそれにおいて送信されるべき１またはそれ以上のＳＡリソースを識別し、前記少なくとも１つのグラントは、Ｄ２Ｄ通信のために前記デバイスによってデータがそれにおいて送信されるべき１またはそれ以上のデータリソースを識別する、
を行うように前記プロセッサによって実行可能である、
デバイス。
［Ｃ３２］
前記命令は、
スクランブリングタイプに従って前記少なくとも１つのグラントをスクランブルすること、ここにおいて、前記スクランブリングタイプは、前記１またはそれ以上のＳＡリソースと前記１またはそれ以上のデータリソースがＤ２Ｄ通信に割り当てられることを示す、
を行うように前記プロセッサによって実行可能である、上記Ｃ３１に記載のデバイス。
［Ｃ３３］
前記スクランブリングタイプは、Ｄ２Ｄ無線ネットワーク一時識別子（ＲＮＴＩ）を備える、上記Ｃ３２に記載のデバイス。
［Ｃ３４］
前記スクランブリングタイプは、半持続的なスケジューリング（ＳＰＳ）Ｄ２Ｄ無線ネットワーク一時識別子（ＲＮＴＩ）を備える、上記Ｃ３２に記載のデバイス。
［Ｃ３５］
前記命令は、
前記少なくとも１つのグラントの巡回冗長検査（ＣＲＣ）をスクランブルすること、
を行うように前記プロセッサによって実行可能である、上記Ｃ３２に記載のデバイス。
［Ｃ３６］
前記少なくとも１つのグラントは、単一のグラントを備える、上記Ｃ３１に記載のデバイス。
［Ｃ３７］
前記単一のグラントは、前記デバイスが前記ＳＡを送信するために使用すべき前記１またはそれ以上のＳＡリソースを識別し、前記１またはそれ以上のデータリソースは、前記１またはそれ以上のＳＡリソースに少なくとも部分的に基づいて前記デバイスによって識別される、上記Ｃ３６に記載のデバイス。
［Ｃ３８］
前記少なくとも１つのグラントは、第１のグラントと第２のグラントとを備え、前記第１のグラントは、前記１またはそれ以上のＳＡリソースを識別し、前記第２のグラントは、前記１またはそれ以上のデータリソースを識別する、上記Ｃ３１に記載のデバイス。
［Ｃ３９］
前記命令は、
第１の時間期間において前記１またはそれ以上のＳＡリソースを識別する前記第１のグラントを送信することと、
第２の時間期間において前記１またはそれ以上のデータリソースを識別する前記第２のグラントを送信することと、ここにおいて、前記第２の時間期間は、前記第１の時間期間とは異なるものであり、前記第２の時間期間は、前記第１の時間期間に少なくとも部分的に基づいて決定される、
を行うように前記プロセッサによって実行可能である、上記Ｃ３８に記載のデバイス。
［Ｃ４０］
前記命令は、
前記１またはそれ以上のＳＡリソースを識別する前記第１のグラントの前記送信と、前記１またはそれ以上のデータリソースを識別する前記第２のグラントの前記送信とを区別するために、インジケータをセットすること
を行うように前記プロセッサによって実行可能である、上記Ｃ３９に記載のデバイス。
［Ｃ４１］
ワイヤレスデバイスにおける通信のためのコードを記憶した、非一時的なコンピュータ可読媒体であって、前記コードは、
少なくとも１つのグラントをデバイスに送信すること、ここにおいて、前記少なくとも１つのグラントは、デバイス間（Ｄ２Ｄ）通信のために前記デバイスによってスケジューリング割当て（ＳＡ）がそれにおいて送信されるべき１またはそれ以上のＳＡリソースを識別し、前記少なくとも１つのグラントは、Ｄ２Ｄ通信のために前記デバイスによってデータがそれにおいて送信されるべき１またはそれ以上のデータリソースを識別する、
を行うように実行可能な命令を備える、非一時的なコンピュータ可読媒体。
［Ｃ４２］
前記命令は、
スクランブリングタイプに従って前記少なくとも１つのグラントをスクランブルすること、ここにおいて、前記スクランブリングタイプは、前記１またはそれ以上のＳＡリソースと前記１またはそれ以上のデータリソースがＤ２Ｄ通信に割り当てられることを示す、
を行うように実行可能である、上記Ｃ４１に記載の非一時的なコンピュータ可読媒体。
［Ｃ４３］
前記スクランブリングタイプは、Ｄ２Ｄ無線ネットワーク一時識別子（ＲＮＴＩ）を備える、上記Ｃ４２に記載の非一時的なコンピュータ可読媒体。
［Ｃ４４］
前記スクランブリングタイプは、半持続的なスケジューリング（ＳＰＳ）Ｄ２Ｄ無線ネットワーク一時識別子（ＲＮＴＩ）を備える、上記Ｃ４２に記載の非一時的なコンピュータ可読媒体。
［Ｃ４５］
前記命令は、
前記少なくとも１つのグラントの巡回冗長検査（ＣＲＣ）をスクランブルすること
を行うように実行可能である、上記Ｃ４２に記載の非一時的なコンピュータ可読媒体。
［Ｃ４６］
前記少なくとも１つのグラントは、単一のグラントを備える、上記Ｃ４１に記載の非一時的なコンピュータ可読媒体。
［Ｃ４７］
前記単一のグラントは、前記デバイスが前記ＳＡを送信するために使用すべき前記１またはそれ以上のＳＡリソースを識別し、前記１またはそれ以上のデータリソースは、前記１またはそれ以上のＳＡリソースに少なくとも部分的に基づいて前記デバイスによって識別される、上記Ｃ４６に記載の非一時的なコンピュータ可読媒体。
［Ｃ４８］
前記少なくとも１つのグラントは、第１のグラントと第２のグラントとを備え、前記第１のグラントは、前記１またはそれ以上のＳＡリソースを識別し、前記第２のグラントは、前記１またはそれ以上のデータリソースを識別する、上記Ｃ４１に記載の非一時的なコンピュータ可読媒体。
［Ｃ４９］
前記命令は、
第１の時間期間において前記１またはそれ以上のＳＡリソースを識別する前記第１のグラントを送信することと、
第２の時間期間において前記１またはそれ以上のデータリソースを識別する前記第２のグラントを送信することと、ここにおいて、前記第２の時間期間は、前記第１の時間期間とは異なるものであり、前記第２の時間期間は、前記第１の時間期間に少なくとも部分的に基づいて決定される、
を行うように実行可能である、上記Ｃ４８に記載の非一時的なコンピュータ可読媒体。
［Ｃ５０］
前記命令は、
前記１またはそれ以上のＳＡリソースを識別する前記第１のグラントの前記送信と、前記１またはそれ以上のデータリソースを識別する前記第２のグラントの前記送信とを区別するために、インジケータをセットすること
を行うように実行可能である、上記Ｃ４９に記載の非一時的なコンピュータ可読媒体。
［Ｃ５１］
ワイヤレス通信の方法であって、
基地局から少なくとも１つのグラントを受信すること、ここにおいて、前記少なくとも１つのグラントは、デバイス間（Ｄ２Ｄ）通信のためにデバイスによってスケジューリング割当て（ＳＡ）がそれにおいて送信されるべき１またはそれ以上のＳＡリソースを識別し、前記少なくとも１つのグラントは、Ｄ２Ｄ通信のために前記デバイスによってデータがそれにおいて送信されるべき１またはそれ以上のデータリソースを識別する、
を備える、方法。
［Ｃ５２］
前記少なくとも１つのグラントは、スクランブルされており、前記方法は、
デスクランブリング技法に従って前記少なくとも１つのグラントをデスクランブルすること、
をさらに備える、上記Ｃ５１に記載の方法。
［Ｃ５３］
前記デスクランブリング技法に少なくとも部分的に基づいて前記１またはそれ以上のＳＡリソースおよび前記１またはそれ以上のデータリソースがＤ２Ｄ通信に割り当てられることを決定すること、
をさらに備える、上記Ｃ５２に記載の方法。
［Ｃ５４］
前記デスクランブリング技法に少なくとも部分的に基づいて前記１またはそれ以上のＳＡリソースおよび前記１またはそれ以上のデータリソースがＤ２Ｄ通信に半持続的に割り当てられることを決定すること、
をさらに備える、上記Ｃ５２に記載の方法。
［Ｃ５５］
前記デスクランブルすることは、前記少なくとも１つのグラントの巡回冗長検査（ＣＲＣ）をデスクランブルすることを備える、上記Ｃ５２に記載の方法。
［Ｃ５６］
前記少なくとも１つのグラントは、単一のグラントを備える、上記Ｃ５１に記載の方法。
［Ｃ５７］
前記単一のグラントから、前記ＳＡを送信するために使用するべき前記１またはそれ以上のＳＡリソースを識別することと、
前記データを送信するために使用すべき前記１またはそれ以上のデータリソースを識別することと、ここにおいて、前記１またはそれ以上のデータリソースの前記識別は、前記１またはそれ以上のＳＡリソースに少なくとも部分的に基づく、
をさらに備える、上記Ｃ５６に記載の方法。
［Ｃ５８］
前記少なくとも１つのグラントは、第１のグラントと第２のグラントとを備え、前記第１のグラントは、前記１またはそれ以上のＳＡリソースを識別し、前記第２のグラントは、前記１またはそれ以上のデータリソースを識別する、上記Ｃ５１に記載の方法。
［Ｃ５９］
前記受信することは、
第１の時間期間において前記１またはそれ以上のＳＡリソースを識別する前記第１のグラントを受信することと、
第２の時間期間において前記１またはそれ以上のデータリソースを識別する前記第２のグラントを受信することと、ここにおいて、前記第２の時間期間は、前記第１の時間期間とは異なるものであり、前記第２の時間期間は、前記第１の時間期間に少なくとも部分的に基づいて決定される、
を備える、上記Ｃ５８に記載の方法。
［Ｃ６０］
前記１またはそれ以上のＳＡリソースを識別する前記第１のグラントの前記送信と、前記１またはそれ以上のデータリソースを識別する前記第２のグラントの前記送信とを区別するために、インジケータを解析すること、
をさらに備える、上記Ｃ５９に記載の方法。
［Ｃ６１］
前記少なくとも１つのグラントは、ロングタームエボリューション（ＬＴＥ）において、物理ダウンリンク制御チャネル（ＰＤＣＣＨ）もしくは物理ダウンリンク共有チャネル（ＰＤＳＣＨ）、またはそれらの組合せを介して受信される、上記Ｃ５１に記載の方法。
［Ｃ６２］
前記ＰＤＳＣＨは、Ｄ２Ｄ通信のための前記１またはそれ以上のＳＡリソースと前記１またはそれ以上のデータリソースとの両方に関する情報を含む、上記Ｃ６１に記載の方法。
［Ｃ６３］
前記少なくとも１つのグラントがＤ２Ｄ通信に関係することを示すためにＤ２Ｄ無線ネットワーク一時識別子（ＲＮＴＩ）により前記ＰＤＣＣＨを介して送信された前記少なくとも１つのグラントをデスクランブルすること、
をさらに備える、上記Ｃ６１に記載の方法。
［Ｃ６４］
ターゲット識別子（ＩＤ）により前記ＰＤＣＣＨを介して送信された前記少なくとも１つのグラントをデスクランブルすること、
をさらに備える、上記Ｃ６１に記載の方法。
［Ｃ６５］
前記少なくとも１つのグラントは、ダウンリンク制御情報（ＤＣＩ）に含まれる、上記Ｃ６１に記載の方法。
［Ｃ６６］
ワイヤレス通信のための装置であって、
基地局から少なくとも１つのグラントを受信するための手段、ここにおいて、前記少なくとも１つのグラントは、デバイス間（Ｄ２Ｄ）通信のためにデバイスによってスケジューリング割当て（ＳＡ）がそれにおいて送信されるべき１またはそれ以上のＳＡリソースを識別し、前記少なくとも１つのグラントは、Ｄ２Ｄ通信のために前記デバイスによってデータがそれにおいて送信されるべき１またはそれ以上のデータリソースを識別する、
を備える、装置。
［Ｃ６７］
ワイヤレス通信のためのデバイスであって、
プロセッサと、
前記プロセッサと電子通信するメモリと、
前記メモリに記憶されている命令と、を備え、前記命令は、
基地局から少なくとも１つのグラントを受信すること、ここにおいて、前記少なくとも１つのグラントは、デバイス間（Ｄ２Ｄ）通信のために前記デバイスによってスケジューリング割当て（ＳＡ）がそれにおいて送信されるべき１またはそれ以上のＳＡリソースを識別し、前記少なくとも１つのグラントは、Ｄ２Ｄ通信のために前記デバイスによってデータがそれにおいて送信されるべき１またはそれ以上のデータリソースを識別する、
を行うように前記プロセッサによって実行可能である、
デバイス。
［Ｃ６８］
ワイヤレスデバイスにおける通信のためのコードを記憶した、非一時的なコンピュータ可読媒体であって、前記コードは、
基地局から少なくとも１つのグラントを受信すること、ここにおいて、前記少なくとも１つのグラントは、デバイス間（Ｄ２Ｄ）通信のために前記デバイスによってスケジューリング割当て（ＳＡ）がそれにおいて送信されるべき１またはそれ以上のＳＡリソースを識別し、前記少なくとも１つのグラントは、Ｄ２Ｄ通信のために前記デバイスによってデータがそれにおいて送信されるべき１またはそれ以上のデータリソースを識別する、
を行うように実行可能な命令を備える、非一時的なコンピュータ可読媒体。
【図１】
0006486960.tif 000002
【図２】
0006486960.tif 000003
【図３】
0006486960.tif 000004
【図４】
0006486960.tif 000005
【図５】
0006486960.tif 000006
【図６】
0006486960.tif 000007
【図７】
0006486960.tif 000008
【図８】
0006486960.tif 000009
【図９】
0006486960.tif 000010
【図１０】
0006486960.tif 000011
【図１１】
0006486960.tif 000012
【図１２】
0006486960.tif 000013
【図１３】
0006486960.tif 000014
【図１４】
0006486960.tif 000015